(57)【要約】  レコーダ装置（１００）は、ドライブ部（３００）に装填された光ディスクに記録されている番組を録画予約するための録画予約情報を取得して自装置の録画予約情報として設定するものであって、録画予約情報が記録された光ディスクがドライブ部（３００）に装填されているときに、その録画予約情報の更新を許諾する許諾部（３５０）と、更新した録画予約情報を前記光ディスクに書き込むディスクドライブ部（３３０）と、を備えている。これにより、レコーダ装置（１００）は、そのユーザビリティが改善される。
2010113432.tif 000002
【特許請求の範囲】
【請求項１】
ドライブ装置に装填された着脱可能な記録媒体に記録されている番組を録画予約するための録画予約情報を取得して自装置の録画予約情報として設定する番組録画装置であって、
録画予約情報が記録された着脱可能な記録媒体がドライブ装置に装填されているときに、当該録画予約情報の更新を許諾する許諾手段と、
更新した録画予約情報を前記着脱可能な記録媒体に書き込む書込手段と、
を備えていることを特徴とする番組録画装置。
【請求項２】
前記ドライブ装置は、着脱可能な記録媒体に記録されている識別情報であって、着脱可能な記録媒体それぞれに固有の識別情報を記録する記録媒体管理部を備え、
前記許諾手段は、前記ドライブ装置に装填された着脱可能な記録媒体から取得した識別情報が前記記録媒体管理部に記録されているとき、前記録画予約情報の更新を許諾することを特徴とする請求項１に記載の番組録画装置。
【請求項３】
前記録画予約情報は、前記識別情報に関連付けて設定されることを特徴とする請求項２に記載の番組録画装置。
【請求項４】
前記ドライブ装置に着脱可能な記録媒体が装填されていないときに、前記録画予約情報の更新ができないことを利用者に警告する警告手段を備えることを特徴とする請求項１から３の何れか１項に記載の番組録画装置。
【請求項５】
前記録画予約情報の更新は、番組を録画予約するための情報の追加、変更、削除、変更なしのうち少なくとも１つを含むことを特徴とする請求項１から４の何れか１項に記載の番組録画装置。
【請求項６】
ドライブ装置に装填された着脱可能な記録媒体に記録されている番組を録画予約するための録画予約情報を取得して自装置の録画予約情報として設定する番組録画装置に係る録画予約情報の設定方法であって、
録画予約情報が記録された着脱可能な記録媒体がドライブ装置に装填されているときに、当該録画予約情報の更新を許諾する許諾ステップと、
更新した録画予約情報を前記着脱可能な記録媒体に書き込む書込ステップと、
を含むことを特徴とする録画予約情報の設定方法。
【請求項７】
ドライブ装置に装填された着脱可能な記録媒体に記録されている番組を録画予約するための録画予約情報を取得して自装置の録画予約情報として設定する番組録画装置に係る録画予約情報の設定プログラムであって、
録画予約情報が記録された着脱可能な記録媒体がドライブ装置に装填されているときに、当該録画予約情報の更新を許諾する許諾ステップと、
更新した録画予約情報を前記着脱可能な記録媒体に書き込む書込ステップと、
をコンピュータに実行させるための録画予約情報の設定プログラム。
【請求項８】
請求項７に記載の録画予約情報の設定プログラムを記録したコンピュータ読取可能な記録媒体。
【発明の詳細な説明】
【技術分野】
【０００１】
本発明は、着脱可能な記録媒体を介して録画予約情報を共有する複数の番組録画装置間において、ユーザビリティに優れた番組録画装置、録画予約情報の設定方法、録画予約情報の設定プログラム、及びコンピュータ読み取り可能な記録媒体に関する。
【背景技術】
【０００２】
地上波放送や衛星放送などのテレビジョン放送の普及に伴い、テレビジョン放送の放送番組を記録し再生するための番組録画装置が広く普及している。【０００３】
従来の番組録画装置は、映像信号および音声信号をテープ媒体などに記録するものが大半であり、また放送局から放送等により送信される番組を録画する場合、使用者が録画しようとする番組に応じて、自らその録画設定（例えば、チャンネル、録画時間、標準モード／３倍モード等）を行っていた。【０００４】
しかしながら、近年のデジタル信号処理技術の発達により、ハードディスクや光ディスクなどの記録媒体（記録メディア）に放送番組をディジタル信号として記録する番組記録装置も登場している。また、一般に番組録画装置は、タイマー装置などを内蔵しており、あらかじめ日時を指定することで自動的に番組を録画する録画予約機能を備えている。【０００５】
ここで、前記のタイマー装置では、従来、所望の放送番組が放送される日時をユーザー自らがタイマー装置などに設定する必要があった。こうしたユーザーの負担を軽減するための方法として、例えば、インターネットなどを通じて提供される放送番組表データ（電子番組ガイド：Ｅｌｅｃｔｒｏｎｉｃ Ｐｒｏｇｒａｍ Ｇｕｉｄｅ）をユーザーが選択することにより、番組記録装置が対応する日時データを自動的に取り込み、当該日時データを録画日時として自動的に設定する方法などが知られている。また、録画日時を自動的に設定する方法の応用として、番組記録装置がユーザーの視聴する番組の傾向を予測する予測手段を備えることで、ユーザーの視聴する放送番組の傾向に応じて自動的に録画予約設定を実行する方法などが提案されている。【０００６】
ここで、特許文献１に記載の光ディスクは、その光ディスクに録画可能な複数種類のテレビジョン放送のうち、当該光ディスクに固有の予め設定された特定種類のテレビジョン放送の記録開始予定時刻と記録終了予定時刻とを少なくとも含む録画予約情報を記録する。そして、光ディスク毎に固有のテレビジョン放送に対応する録画予約情報が記録されているため、テレビジョン放送の録画前に当該録画予約情報を読み出し、当該読み出した録画予約情報に基づいて録画すべきテレビジョン放送を選択して録画することにより、一の光ディスク内に当該光ディスクに固有のテレビジョン放送（例えば、連続ドラマ等）のみを録画することができる。【０００７】
特許文献２に記載のＤＶＤ記録再生装置は、録画予約実行処理において、コントローラによって録画予約設定内容のディスクＩＤを読み出し、そのディスクＩＤを記憶部に記憶し、録画予約設定内容のディスクＩＤに一致するディスクが検出されるまでストッカーに収納した各ディスクのディスクＩＤを順次読み出して記憶し、ディスクＩＤが一致するディスクを検出すると当該ディスクを抽出して、予約設定内容に基づき録画を行う。【０００８】
特許文献３に記載の光ディスク装置では、バックエンドＭＣＵは、設定画面の毎週録画予約設定欄のみに毎週録画予約が設定されている場合には、通常通り毎週録画予約を実行する一方、設定画面の毎週録画予約設定欄に毎週録画予約が設定されており、かつ、単発録画予約設定欄に単発録画予約が設定されている場合には、毎週録画予約を解除することなく、その単発録画予約を優先して録画動作を行う。【０００９】
しかしながら、録画予約情報が記録された複数のディスクを番組録画装置に挿入することにより、当該録画予約情報が番組録画装置に書き込まれるシステムにおいて、番組録画装置が複数存在する場合に、当該装置間で録画予約情報を正確に矛盾なく共有し合う技術は、前記何れの特許文献にも開示されていない。【００１０】
このことを、図２９を参照して説明する。図２９は、複数の番組録画装置間で録画予約情報を共有する場合に生じる録画予約情報の矛盾を説明するための図である。【００１１】
図２９（ａ）は、ディスクを挿入した状態において、番組録画予約装置Ａ（以下、機器Ａ）で録画予約が行われる様子を示す図である。なお、その録画予約される情報を予約情報Ａとし、予約情報Ａは、「2009/1/1 12：00〜13：00 チャンネルＡタイトルＡＡＡ」によって示される情報であるものとする。【００１２】
次に、図２９（ｂ）は、ディスクを機器Ａから取り出して、当該ディスクを他の録画番組予約装置Ｂ（以下、機器Ｂ）に挿入した様子を示す図である。この動作により、ディスクに記録していた予約情報Ａが機器Ｂにコピーされ、その結果、機器Ａ・Ｂは予約情報Ａを共有することができる。このように、図２９（ａ）・（ｂ）によって示される状態であれば、機器Ａ・Ｂは、何ら問題なく予約情報を共有することができる。【００１３】
しかしながら、図２９（ｃ）に示す状態では、予約情報の共有に矛盾が生じてしまう。そのことを具体的に説明する。【００１４】
図２９（ｃ）は、予約情報Ｃ（2009/1/1 12：00〜13：00 チャンネルＣ タイトルＣＣＣ）が記録されたディスクを、予約情報Ｂ（2009/1/1 12：00〜13：00 チャンネルＢ タイトルＢＢＢ）が記録された機器Ａに挿入する様子を示す図である。【００１５】
この場合、予約情報Ｂ・Ｃは同じ時間帯に異なるチャンネルの番組を録画することになっており、機器Ａは、同時に二つの番組を録画することができない。また、予約情報Ｂ・Ｃの何れの予約情報を正とするかは、ユーザーの使用状況によって変動するものである。そして、予約情報Ｂ又は予約Ｃの何れを優先するかについても、ユーザーからの指示を待つ必要があった。【００１６】
このように、録画予約情報が記録された複数のディスクを番組録画装置に挿入することにより、当該録画予約情報が番組録画装置に書き込まれるシステムにおいて、番組録画装置が複数存在する場合に、そのユーザビリティは著しく低かった。
【先行技術文献】
【特許文献】
【００１７】
【特許文献１】日本国公開特許公報「特開平１１−２６００４３号公報（公開日１９９９年９月２４日）」
【特許文献２】日本国公開特許公報「特開２００２−３３５４８５号公報（公開日２００２年１１月２２日）」
【特許文献３】日本国公開特許公報「特開２００５−３４７９９８号公報（公開日２００５年１２月１５日）」
【発明の概要】
【００１８】
本発明は、前記の問題点に鑑みてなされたものであり、その目的は、複数の番組録画装置間で光ディスクを介して録画予約情報を共有するシステムにおいて、ユーザビリティに優れた番組録画装置、録画予約情報の設定方法、録画予約情報の設定プログラム、及びコンピュータ読み取り可能な記録媒体を提供することにある。
【００１９】
本発明に係る番組録画装置は、前記課題を解決するために、ドライブ装置に装填された着脱可能な記録媒体に記録されている番組を録画予約するための録画予約情報を取得して自装置の録画予約情報として設定する番組録画装置であって、録画予約情報が記録された着脱可能な記録媒体がドライブ装置に装填されているときに、当該録画予約情報の更新を許諾する許諾手段と、更新した録画予約情報を前記着脱可能な記録媒体に書き込む書込手段と、を備えることを特徴としている。
【００２０】
また、本発明に係る録画予約情報の設定方法は、前記課題を解決するために、ドライブ装置に装填された着脱可能な記録媒体に記録されている番組を録画予約するための録画予約情報を取得して自装置の録画予約情報として設定する番組録画装置に係る録画予約情報の設定方法であって、録画予約情報が記録された着脱可能な記録媒体がドライブ装置に装填されているときに、当該録画予約情報の更新を許諾する許諾ステップと、更新した録画予約情報を前記着脱可能な記録媒体に書き込む書込ステップと、を含むことを特徴としている。
【００２１】
前記の構成によれば、本発明に係る番組録画装置では、自装置に着脱可能な記録媒体が挿入されたときに、許諾手段が、着脱可能な記録媒体に記録されている録画予約情報の更新を許諾する。
【００２２】
従って、着脱可能な記録媒体が自装置に挿入されない限り、自装置に設定されている録画予約情報が更新されることはない。つまり、着脱可能な記録媒体が自装置から取り出されると、その着脱可能な記録媒体が再度挿入されるまでの間は録画予約情報が更新されることはない。そして、着脱可能な記録媒体が再挿入されると、着脱可能な記録媒体に記録された録画予約情報の更新が許諾され、番組録画装置は、その更新された録画予約情報に基づいて番組を録画することができる。そして、その更新された録画予約情報は書込手段によって着脱可能な記録媒体に書き込まれる。
【００２３】
このように、番組録画装置に設定された録画予約情報は、着脱可能な記録媒体に記録された録画予約情報を更新したものであり、より確実に利用者の意図を反映することができる。従って、更新後の予約録画情報は、着脱可能な記録媒体に記録された録画予約情報よりも優先されるべき録画予約情報として取り扱うことができる。それゆえ、本発明に係る番組録画装置は、番組録画装置及び着脱可能な記録媒体における録画予約情報が相違し、何れの録画予約情報を優先的に取り扱うか判断できない、といった前記従来の問題を解決することができる。
【００２４】
さらに、本発明に係る番組録画装置は、更新した録画予約情報を着脱可能な記録媒体に書き込む書込手段を備えており、更新された録画予約情報が着脱可能な記録媒体にも記録される構成である。従って、番組録画装置及び着脱可能な記録媒体に記録される録画予約情報を同期させることができ、両者の間で録画予約情報の矛盾が生じる事態を回避することができる。
【００２５】
それゆえ、複数の番組録画装置間で着脱可能な記録媒体を介して録画予約情報を共有するシステムにおいて、本発明に係る番組録画装置は、自装置における録画予約情報を設定するための物理キーとして着脱可能な記録媒体を使用する。そして、着脱可能な記録媒体が自装置に装填されたときに、その着脱可能な記録媒体に記録された録画予約情報をマスタ情報として、録画予約情報の更新が許諾される。
【００２６】
このように、更新された録画予約情報に基づいて番組が録画されるため、番組録画装置及び着脱可能な記録媒体における録画予約情報の何れが優先されるか等の判断を利用者に要求することがない、ユーザビリティに優れた番組録画装置及び録画予約情報の設定方法を実現することができる。
【００２７】
本発明に係る番組録画装置は、以上のように、録画予約情報が記録された着脱可能な記録媒体がドライブ装置に装填されているときに、当該録画予約情報の更新を許諾する許諾手段と、更新した録画予約情報を前記着脱可能な記録媒体に書き込む書込手段と、を備える。
【００２８】
また、本発明に係る番組録画装置に係る録画予約情報の設定方法は、以上のように、録画予約情報が記録された着脱可能な記録媒体がドライブ装置に装填されているときに、当該録画予約情報の更新を許諾する許諾ステップと、更新した録画予約情報を前記着脱可能な記録媒体に書き込む書込ステップと、を含む。
【００２９】
それゆえ、本発明に係る番組録画装置及び録画予約情報の設定方法は、複数の番組録画装置間で着脱可能な記録媒体を介して録画予約情報を共有するシステムにおいて、ユーザビリティに優れた番組録画装置、及び録画予約情報の設定方法を提供することができる。
【図面の簡単な説明】
【００３０】
【図１】本発明の一実施形態に係るレコーダ装置の要部構成を表すブロック図である。
【図２】実施形態に係るレコーダ装置の要部構成を示すブロック図である。
【図３】ドライブ部に備えられた記憶部の初期化処理を示す図であり、（ａ）は記憶部の初期化の際の表示装置における表示の一例を示す図であり、（ｂ）は初期化処理後の記憶部を模式的に示す図である。
【図４】光ディスクの登録処理を示す図であり、（ａ）は光ディスクの登録処理の際の表示装置における表示の一例を示した図であり、（ｂ）は光ディスクの登録処理後の記憶部を模式的に示した図である。
【図５】実施形態に係るレコーダ装置における予約登録処理を示す図であり、（ａ）は予約登録処理後の記憶部の状態を模式的に示した図であり、（ｂ）は予約登録処理後の記憶部およびマイディスクの状態を模式的に示した図であり、（ｃ）は予約登録処理の際の表示装置における表示の一例を示した図である。
【図６】マイディスクが装填されている状態での録画処理を示す図であり、（ａ）は録画処理後の記憶部およびマイディスクの状態を模式的に示した図であり、（ｂ）は録画処理後の記憶部の状態を模式的に示した図である。
【図７】コンテンツ１を録画した際の各記憶部の状態を示す図であり、（ａ）は領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【図８】本実施形態に係るレコーダ装置においてマイディスクが装填されていない状態での録画処理を示す図であり、（ａ）は録画処理後の記憶部の状態を模式的に示した図であり、（ｂ）は録画処理後の記憶部の状態を模式的に示した図である。
【図９】コンテンツ２を録画した際の各記憶部の状態を示す図であり、（ａ）は領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【図１０】コンテンツの同期処理後の記憶部およびディスク１の状態を示す図である。
【図１１】コンテンツ２を同期処理した際の各記憶部の状態を示す図であり、（ａ）は領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【図１２】コンテンツ２を同期処理した際の各記憶部の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【図１３】領域１に記録されていたコンテンツ１およびコンテンツ２を削除した後に、新たにコンテンツ４を録画したときの記憶部およびディスク１の状態を示す図である。
【図１４】コンテンツ４を録画した際の各記憶部の状態を示す図であり、（ａ）は領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【図１５】コンテンツ１〜３を記録したディスク１が装填されている場合の各記憶部の状態を示す図である。
【図１６】マイディスクが装填されている場合において、再生時にコンテンツが読み出される媒体を模式的に示した図である。
【図１７】ドライブ部に光ディスクが装填されていない場合の各記憶部の状態を示す図である。
【図１８】マイディスクが装填されていない場合において、再生時にコンテンツが読み出される媒体を模式的に示した図である。
【図１９】マイディスクが装填されている場合において、コンテンツが編集される媒体を模式的に示した図である。
【図２０】コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【図２１】本実施形態に係るレコーダ装置におけるメモリ内コピー処理を示す図であり、（ａ）は、メモリ内コピー処理後の記憶部の状態を示す図であり、（ｂ）はメモリ内コピー処理後の記憶部におけるタイトル管理領域の状態を示す図である。
【図２２】ファイルシステムを用いたデータ管理を示す図であり、（ａ）はファイルシステム管理領域に記録されたファイルシステムの一例を示し、（ｂ）は領域１におけるコンテンツの記録状態に対応するディスク１の記録状態の対応関係を示し、（ｃ）はコンテンツ１を構成するファイルのマップテーブルを示す図である。
【図２３】表示装置におけるコンテンツおよびタイトルリストに記録されている情報の表示を概略的に示す図である。
【図２４】本実施形態に係るレコーダ装置の具体的な動作を説明するための図であり、（ａ）は、レコーダ装置Ａに光ディスクが挿入される前の様子を示す図であり、（ｂ）は、レコーダ装置Ａに光ディスクが挿入された様子を示す図であり、（ｃ）は、レコーダ装置Ａから光ディスクが取り出された後の様子を示す図であり、（ｄ）は、レコーダ装置Ｂに光ディスクが挿入された様子を示す図であり、（ｅ）は、レコーダ装置Ｂにおいて、ユーザーが予約情報Ａに対して録画予約情報の追加、変更、削除を行い、新たな予約情報Ｂが設定された様子を示す図であり、（ｆ）は、レコーダ装置Ｂから光ディスクが取り出された後の様子を示す図であり、（ｇ）は、レコーダ装置Ａに光ディスクが挿入された様子を示す図である。
【図２５】本実施形態に係るレコーダ装置に係る録画予約情報の設定の動作を説明するためのフローである。
【図２６】図３、図４等における領域１〜ｎをディスク用データ領域１〜ｎに割り当てた様子を模式的に示す図である。
【図２７】他の実施形態に係るレコーダ装置の各種管理情報を模式的に示す図である。
【図２８】他の実施形態に係るレコーダ装置について、録画予約情報のロック動作の基本形を説明するためのフローである。
【図２９】従来の番組録画装置に係る、複数の番組録画装置間で録画予約情報を共有する場合に生じる録画予約情報の矛盾を説明するための図であり、（ａ）は、ディスクを挿入した状態において機器Ａで録画予約が行われる様子を示す図であり、（ｂ）は、ディスクを機器Ａから取り出して、当該ディスクを機器Ｂに挿入した様子を示す図であり、（ｃ）は、予約情報Ｃが記録されたディスクを、予約情報Ｂが記録された機器Ａに挿入する様子を示す図である。
【発明を実施するための形態】
【００３１】
〔実施の形態１〕
本実施の形態について図１〜図２８に基づいて説明すると以下の通りである。
【００３２】
なお、本実施の形態に係るレコーダ装置１００（番組録画装置）は、概略的に言えば、録画予約情報が記録された光ディスク（着脱可能な記録媒体）がドライブ部３００（ドライブ装置）に装填されているときに、当該録画予約情報の更新を許諾する許諾部３５０（許諾手段）と、更新した録画予約情報を光ディスクに書き込むディスクドライブ部３３０（書込手段）と、を備える装置である。
【００３３】
そこで、まず、レコーダ装置１００の概要について説明する。
【００３４】
なお、本実施形態に係るレコーダ装置に備えられているドライブ装置は、光ディスクにデータを書き込むか、あるいは光ディスクからデータを読み出す装置として実現されているので、以下ではこれを光ディスクドライブ装置と称する。光ディスクとしては、ＢＤ（Blu-ray Disc）、ＤＶＤ（Digital Versatile Disc）、ＣＤ（Compact Disc）などが想定される。ただし、本発明はこれに限定されず、フレキシブルディスク、光磁気ディスクなど、着脱可能な記録媒体にデータを書き込むドライブ装置一般に適用することができる。
【００３５】
本発明に係るレコーダ装置１００の構成およびレコーダ装置１００の動作の概要について、以下に説明する。なお、本実施形態に係るレコーダ装置は、コンテンツを光ディスクに記録する記録機能だけでなく、記録媒体に記録されているコンテンツおよび外部より取得したコンテンツを再生する再生機能を有するレコーダ装置である。
【００３６】
＜レコーダ装置１００の構成＞
本実施形態に係るレコーダ装置の構成について、図２を参照しつつ以下に説明する。図２は、レコーダ装置１００の要部構成を示すブロック図である。
【００３７】
図２に示すように、レコーダ装置１００は、レコーダ装置１００に入力されるコンテンツの再生または記録（録画）全般を実行するバックエンド部２００、ならびに、装填されている光ディスクからのデータの読み出し、および装填されている光ディスクに対するデータの書き込み全般を実行するドライブ部３００を備えている。
【００３８】
ドライブ部３００は、従来の光ディスクドライブ装置が備えている機能に加え、以下の機能を新規な機能を有している。すなわち、（１）ユーザーにより指定された複数の光ディスクをマイディスクとして登録する登録機能、（２）マイディスクとして登録された光ディスクに対する書き込み命令がバックエンド部２００から与えられたとき、その光ディスクにデータを書き込むと共に、ドライブ部３００内に設けられたメモリにデータを書き込む書き込み機能、（３）マイディスクに対する読み出し命令がバックエンド部２００から与えられたときに、その光ディスクからデータを読み出す代わりに、上記メモリからデータを読み出す読み出し機能、および、（４）マイディスクとして登録された光ディスクに書き込む代わりに上記メモリに書き込まれたデータをその光ディスクに書き込み、上記メモリと上記光ディスクとに記録されているデータを同期させる同期機能を有している。そして、バックエンド部２００は、これらの新規な機能を利用して、コンテンツの録画、再生、および編集を行う。以下、このようなバックエンド部２００およびドライブ部３００の構成例について、以下に順に説明する。
【００３９】
バックエンド部２００は、図２に示すように、チューナー部２１０、エンコーダ部２２０、ストリーム処理部２３０、バックエンド制御部２４０、デコーダ部２６０、画像処理部２７０、バッファ部２５０、記憶部２８０およびインターフェース部２９０を備えている。また、図２に示すように、ストリーム処理部２３０、バックエンド制御部２４０、デコーダ部２６０、画像処理部２７０、バッファ部２５０、記憶部２８０およびインターフェース部２９０は、バスラインを介して互いに接続されている。
【００４０】
ドライブ部３００は、図２に示すように、インターフェース部３１０、ドライブ制御部３２０、ディスクドライブ部３３０および記憶部３４０を備えている。また、図２に示すように、インターフェース部３１０、ドライブ制御部３２０、ディスクドライブ部３３０および記憶部３４０は、バスラインを介して互いに接続されている。
【００４１】
本明細書等では、記憶部３４０における各領域に対して対応付けられた光ディスク、すなわち自身の有するメディアＩＤが記憶部３４０に記録されている光ディスクを「マイディスク」と称する。
【００４２】
バックエンド部２００およびドライブ部３００の備える各部材について、以下に説明する。
【００４３】
（チューナー部２１０、エンコーダ部２２０）
チューナー部２１０は、アンテナ部において受信したデジタル放送波（例えば、ＢＳデジタル放送、ＣＳデジタル放送、地上波デジタル放送）から、映像データ、音声データなどが多重化されているストリーム（Transport Stream：ＴＳ）を抽出する。
【００４４】
エンコーダ部２２０は、アンテナ部において受信したアナログ放送、または、外部から入力された映像／音声信号をＭＰＥＧ２−ＴＳ形式またはＭＰＥＧ２−ＰＳ形式にエンコードする。
【００４５】
（ストリーム処理部２３０、バッファ部２５０）
ストリーム処理部２３０は、抽出されたストリームまたはエンコードされたストリームに多重化されている映像データ、音声データなどの個々のデータを分離、抽出すると共に、同じパケット識別子（ＰＩＤ）が付与されているパケット（ＴＳ）のペイロード部を繋ぎ合わせることにより、コンテンツデータ（ＰＥＳパケット）を復元する。また、不図示の通信部によりネットワークを介して入力されるコンテンツデータもストリーム処理部２３０において処理される。
【００４６】
なお、ストリーム処理部２３０において処理されたコンテンツデータは、一時的にバッファ部２５０に格納される。バッファ部２５０は、表示装置またはドライブ部３００に対して出力するコンテンツデータ（映像データ、音声データなど）を一時的に記憶するメモリである。バッファ部２５０は、揮発メモリを用いることが一般的であるが、不揮発性メモリを用いてもよい。
【００４７】
（バックエンド制御部２４０）
バックエンド制御部２４０は、レコーダ装置１００におけるコンテンツデータの記録および再生全般を制御する。
【００４８】
ストリーム処理部２３０において復元したコンテンツデータを、ドライブ部３００に装填されている光ディスクに対して記録する場合、バックエンド制御部２４０は、光ディスクに書き込むための書き込み命令をインターフェース部２９０を介してドライブ制御部３２０に出力すると共に、書き込み対象とするコンテンツデータをバッファ部２５０から読み出してインターフェース部２９０を介してドライブ部３００に対して出力する。
【００４９】
ドライブ部３００に装填されている光ディスクに記録されているコンテンツデータを再生する場合、バックエンド制御部２４０は、ドライブ部３００に対して、コンテンツデータを光ディスクから読み出すための読み出し命令を、インターフェース部２９０を介してドライブ制御部３２０に出力する。このとき、光ディスクから読み出されたコンテンツデータは、バッファ部２５０に一時的に格納される。
【００５０】
また、バックエンド制御部２４０は、バッファ部２５０に格納されているコンテンツデータを表示装置に対して出力する場合には、バッファ部２５０から読み出したコンテンツデータをデコードするようデコーダ部２６０を制御する。
【００５１】
（デコーダ部２６０）
デコーダ部２６０は、バックエンド制御部２４０からの指示を受けて、バッファ部２５０に格納されているコンテンツデータのうち、バックエンド部２００内において生成されるクロック（System Time Clock：ＳＴＣ）の値に一致するタイムスタンプ（ＰＴＳ）が付与されているコンテンツデータを読み出す。そして読み出したコンテンツデータをデコードし、画像処理部２７０に出力する。
【００５２】
（画像処理部２７０）
画像処理部２７０は、フレームレート変換などのような動画像データの表示性能を向上させるため、画素の補間や色調整などの高品質化処理を実行し、高品質化処理を施した動画像データを表示装置（図示しない）に対して出力する。すなわち、画像処理部２７０では、デコーダ部２６０においてデコード（復号）されたフレーム画像から表示装置において実際に表示する際に用いるフレーム画像を生成する。
【００５３】
なお、表示装置に表示する画像に付加情報（例えば、字幕、タイトルリスト、メニュー情報、アイコン等）を重畳する場合には、画像処理部２７０において、高品質化処理を施した動画像データに対して必要な付加情報を重畳する。
【００５４】
（記憶部２８０）
記憶部２８０には、バックエンド制御部２４０を動作させるためのプログラム、および、バックエンド制御部２４０が参照する各種データが格納されている。バックエンド制御部２４０により参照されるデータとしては、予約情報およびタイトル管理情報などが挙げられる。予約情報およびタイトル管理情報の詳細については以下に詳述するため、ここではその説明を省略する。なお、記憶部２８０は、電源をオフにしても記録内容の消去されない不揮発性メモリであることが好ましい。
【００５５】
（インターフェース部２９０、３１０）
インターフェース部２９０は、入力されたデータをインターフェース部３１０を介してドライブ部３００に対して出力する。インターフェース部２９０としては、ＳＡＴＡ（Serial AT attachment）などを挙げることができる。なお、ＡＴＡ（AT attachment）は、転送方式がシリアルのＡＴＡであるＳＡＴＡに限定されるものではなく、転送方式がパラレルのＡＴＡであるＰＡＴＡを用いてもよい。
【００５６】
インターフェース部３１０は、入力されたデータをインターフェース部２９０を介してバックエンド制御部２４０に対して出力する。インターフェース部３１０も、インターフェース部２９０と同様に、ＳＡＴＡ（Serial AT attachment）などとすることができるが、インターフェース部２９０とインターフェース部３１０とは同一規格のインターフェースであることが好ましい。
【００５７】
なお、本実施形態では、インターフェース部２９０、３１０がＳＡＴＡである場合を例に挙げて説明する。
【００５８】
（ドライブ制御部３２０）
ドライブ制御部３２０は、ディスクドライブ部３３０に装填されている光ディスクからのデータの読み出し、および光ディスクへのデータの書き込みを制御すると共に、記憶部３４０からのデータの読み出し、および記憶部３４０へのデータの書き込みを制御する。
【００５９】
ドライブ制御部３２０では、インターフェース部３１０を介して入力されるバックエンド制御部２４０からの命令（光ディスクからのデータ読み出し命令、または光ディスクへのデータ書き込み命令）を、記憶部３４０からのデータ読み出し命令、または記憶部３４０へのデータ書き込み命令に読み換える。しかし、バックエンド制御部２４０からの命令が、記憶部３４０に記憶されていないデータに対する読み出し命令である場合には、ドライブ制御部３２０はバックエンド制御部２４０からの命令を読み換えることなく、装填されている光ディスクからデータを読み出す。
【００６０】
インターフェース部２９０、３１０がＡＴＡインターフェースである場合、バックエンド制御部２４０からの書き込み命令および読み出し命令は、ＡＴＡコマンドとなる。また、本実施形態では、所定の領域に対するデータの書き込み命令を実現するために、記憶部３４０におけるいずれの領域（後述するマイディスク）に対してデータを書き込むのかを表す情報（書き込み対象領域情報）をＡＴＡコマンドに含めてドライブ制御部３２０に出力するようにすることが好ましい。もちろん、書き込み対象領域情報を含めたＡＴＡコマンドを用いる以外にも、書き込み対象領域情報を示すＡＴＡコマンドを出力して記憶部３４０の記録対象領域（対象マイディスク）を指定した後に、書き込み命令および書き込み対象データを表すＡＴＡコマンドをドライブ制御部３２０に出力するようにしてもよい。なお、これは書き込み命令に限るものではなく、読み出し命令についても同様である。
【００６１】
（ディスクドライブ部３３０）
ディスクドライブ部３３０は、ドライブ制御部３２０からの指示に基いて動作し、装填されている光ディスクからのデータの読み出し、または光ディスクに対するデータの書き込みを実行する。
【００６２】
ディスクドライブ部３３０は、装填されている光ディスクからデータを読み出したり、光ディスク対してデータを書き込んだりするための光ピックアップ部などを備えている。
【００６３】
（記憶部３４０）
記憶部３４０は、レコーダ装置１００において光ディスクに対して記録するコンテンツデータなどのデータを記憶するデータメモリである。記憶部３４０におけるコンテンツデータの記録については、下記に詳述するため、ここではその説明を省略する。
【００６４】
なお、記憶部３４０は、光ディスクよりもデータアクセス速度が速いものであれば特に限定されるものではないが、電源をオフにしても記録内容の消去されない不揮発性メモリであることが好ましい。より具体的にはフラッシュメモリを用いることが好ましい。
【００６５】
（レコーダ装置１００の処理動作）
次に、レコーダ装置１００の再生動作、録画動作、ダビング動作などについて説明するが、これらのレコーダ装置１００における各動作の説明に先立って、レコーダ装置１００における事前設定について、図３（ａ）および（ｂ）および図４（ａ）および（ｂ）を参照して説明する。レコーダ装置１００における事前設定は、記憶部３４０の初期化処理と、記憶部３４０に対する光ディスクの登録処理の２つに大別することができる。
【００６６】
＜記憶部３４０の初期化処理＞
記憶部３４０の初期化処理について、図３（ａ）および（ｂ）を参照しつつ説明する。図３（ａ）および（ｂ）は、記憶部３４０の初期化処理を示す図であり、（ａ）は記憶部３４０の初期化の際の表示装置における表示の一例を示す図であり、（ｂ）は初期化処理後の記憶部３４０を模式的に示す図である。
【００６７】
記憶部３４０の初期化処理とは、記憶部３４０における記憶領域を、ユーザーの所望する数のパーティションに仮想的に分割する処理である。なお、記憶部３４０の初期化処理は、記憶部３４０において記憶領域が仮想的に分割されていない場合にのみ実行される処理であるため、既に記憶部３４０における初期化処理が行われている場合には初期化処理は実行されない。
【００６８】
初期化処理は、操作入力部を介したユーザーからの初期化処理の実行指示を受けることにより実行される。すなわち、バックエンド制御部２４０がユーザーからの初期化処理実行指示を受けると、バックエンド制御部２４０はドライブ制御部３２０に対して、記憶部３４０の記憶領域をユーザーの指定する数に仮想的に分割するように指示する。バックエンド制御部２４０からの指示を受けたドライブ制御部３２０は、記憶部３４０を指定された数の領域（パーティション）に仮想的に分割する。記憶部３４０において分割される領域の数は、登録することができるマイディスクの枚数と一致する。このとき、表示装置には、図３（ａ）に示すような画像を表示することが好ましい。
【００６９】
なお、記憶部３４０において仮想的に分割される領域の数は、例えば「ｎ個（枚）」などのようにユーザーにより明示的に指示された数であってもよいし、ユーザーの所望する録画画質に応じて設定される数であってもよい。
【００７０】
図３（ｂ）は、初期化処理後の記憶部３４０を示している。図３（ｂ）に示すように、記憶部３４０は、ユーザーの所望するｎ個の領域（領域１〜領域ｎ）に仮想的に分割されている。また、領域１〜ｎ以外にも記憶部３４０には、領域１〜領域ｎを管理する管理情報の記録されている管理領域が設けられている。
【００７１】
管理領域は、図３（ｂ）に示すように、領域１〜領域ｎを管理するマイディスク管理領域と、マイディスク管理領域を管理するメモリ管理領域と、に分けることができる。
【００７２】
マイディスク管理領域には、領域１〜領域ｎの各領域を管理する管理情報が記録されている。図３（ｂ）では、便宜上、領域１を管理する管理情報の記録されている領域を「エントリ１」と称し、以下同様に領域２〜ｎを管理する管理情報の記録されている領域をエントリ２〜ｎと称する。
【００７３】
領域１を管理するエントリ１には、エントリ番号、割り当てフラグ、メディアＩＤ情報、割り当てエリア情報、メディアキー情報およびマップ情報が記録されている。これらの各情報について以下に説明する。
【００７４】
「エントリ番号」は、いずれの領域を管理するのかを示す情報である。例えば、エントリ１は、領域１を管理する管理情報であるため、エントリ番号としては「１」を示す情報が記録されている。
【００７５】
「割り当てフラグ」は、マイディスクが対応付けられている領域であるか否かを示すフラグである。初期化処理直後の状態では、マイディスクの対応付けは行われていないため、割り当てが行われていないことを示す情報（ここでは、「０」）が記録されている。
【００７６】
「メディアＩＤ」は、光ディスクのメディアＩＤを示す情報である。初期化処理段階では、メディアＩＤの情報は記録されていない。メディアＩＤの情報の記録については、後述の光ディスクの登録処理において説明する。
【００７７】
「割り当てエリア情報」は、各領域として利用することができる記憶部３４０の記録領域を表す情報である。割り当てエリア情報の具体例としては、例えば、各領域の開始アドレスおよび終了アドレスを挙げることができる。また、終了アドレスの代わりに、各領域の記録容量が記録されていてもよい。
【００７８】
「メディアキー情報」は、データを光ディスクに対して記録するときの著作権保護に用いられる暗号化を実行するためのキー情報である。メディアキー情報としては、例えば、ＭＫＢ（Media Key Block）を挙げることができる。
【００７９】
「マップ情報」は、光ディスクに記録されたコンテンツのそれぞれについて、当該コンテンツが記録される光ディスクの領域を示すアドレスである仮想アドレスと、当該コンテンツが記録されている記憶部３４０上の領域を示すアドレスである物理アドレスとの対応付けを示す情報である。マップ情報として記録されているマップテーブルの詳細については、下記で詳述するため、ここでは説明を省略する。
【００８０】
また、メモリ管理領域には、図３（ｂ）に示すように、「エントリ数情報」および「割り当てエリア情報」が記録されている。「エントリ数」は、記憶部３４０において仮想的に分割されている領域の数を示す情報である。「割り当てエリア情報」は、記憶部３４０においてマイディスク管理領域として利用されている領域を表す情報である。
【００８１】
なお、記憶部３４０を領域１〜領域ｎに仮想的に分割した時に生じる余りの領域を予備領域として活用するようにしてもよい。
【００８２】
＜光ディスクの登録処理＞
次に、記憶部３４０に対する光ディスクの登録処理について、図４（ａ）および（ｂ）を参照しつつ説明する。図４（ａ）および（ｂ）は、光ディスクの登録処理を示す図であり、（ａ）は光ディスクの登録処理の際の表示装置における表示の一例を示した図であり、（ｂ）は光ディスクの登録処理後の記憶部３４０を模式的に示した図である。
【００８３】
光ディスクの登録処理とは、記憶部３４０において仮想的に分割されている各領域を管理するエントリに対して、光ディスクのメディアＩＤを記録する処理である。
【００８４】
光ディスクがドライブ部３００に装填されると、ドライブ制御部３２０は、ディスクドライブ部３３０に対して、装填された光ディスクから当該光ディスクのメディアＩＤを読み出すように指示する。ディスクドライブ部３３０が光ディスクからメディアＩＤを読み出すと、ドライブ制御部３２０は、記憶部３４０において読み出したメディアＩＤがマイディスク管理領域におけるエントリに既に記録されているメディアＩＤであるか否かを判定する。
【００８５】
読み出したメディアＩＤがマイディスク管理領域におけるエントリのいずれにも記録されていない場合、ドライブ制御部３２０は、マイディスク管理領域におけるエントリのうち、割り当てフラグが光ディスクの割り当てが行われていないことを示す「０」であるエントリに、読み出したメディアＩＤを記録する。これによって、エントリにおいてメディアＩＤ情報が記録される。なお、メディアＩＤ情報の記録されたエントリにおける割り当てフラグは、メディアＩＤ情報が記録された時点で、割り当てが行われていることを示す「１」に変更される。また、メディアキー情報などの光ディスク固有の情報についても、この時点でメディアＩＤ情報を記録したエントリに対して記録される。
【００８６】
なお、上述した光ディスクの登録処理は、読み出したメディアＩＤが割り当てフラグが「０」であるエントリに自動的に記録される場合を説明しているが、実際にはレコーダ装置１００が、当該メディアＩＤをエントリに記録するか否かをユーザーに問い合わせることが好ましい。この場合、ドライブ制御部３２０は、レコーダ装置１００にメディアＩＤをエントリに記録するとするユーザーからの指示を受けてメディアＩＤを記録する。
【００８７】
また、割り当てフラグが「０」であるエントリが複数存在する場合には、いずれのエントリに対してメディアＩＤを記録するのかをユーザーが選択できるようにしてもよい。この場合、ドライブ制御部３２０は、ユーザーにより指定されたエントリに対してメディアＩＤを記録する。
【００８８】
なお、メディアＩＤをエントリに記録する際には、表示装置に図４（ａ）に示すような画像を表示するようにすることが好ましい。
【００８９】
図４（ｂ）は、メディアＩＤ「ａａａ」を有する光ディスクをエントリ１に記録した場合における光ディスクの登録後の記憶部３４０の状態を示している。
【００９０】
光ディスクのメディアＩＤをエントリ１に記録した場合、図４（ｂ）に示すように、光ディスクはエントリ１により管理される領域１に対して対応付けられることになる。
【００９１】
本明細書等では、記憶部３４０における各領域に対して対応付けられた光ディスク、すなわち自身の有するメディアＩＤが記憶部３４０に記録されている光ディスクを「マイディスク」と称する。また、マイディスクを識別するために、ここでは、領域１に対応付けられたマイディスクを「ディスク１」と称する。以下同様に、領域２〜ｎに対応付けられたマイディスクを「ディスク２〜ｎ」と称する。
【００９２】
＜コンテンツの予約録画動作＞
上述した事前設定の完了しているレコーダ装置１００におけるコンテンツ録画動作、コンテンツ再生動作、コンテンツ編集動作、およびコンテンツコピー動作について、以下に説明する。
【００９３】
レコーダ装置１００におけるコンテンツ録画動作について、図５（ａ）〜（ｃ）〜図１４（ａ）〜（ｃ）を参照して以下に説明する。なお、ここでは、コンテンツ録画動作として、予約録画処理を例に挙げて説明する。
【００９４】
レコーダ装置１００における予約録画処理は、予約登録処理と録画処理との２つに大別することができる。また、録画処理は、マイディスクが装填されている状態での録画処理と、マイディスクが装填されていない状態での録画処理の２つにさらに分けることができる。予約録画処理におけるこれらの処理それぞれについて以下に説明する。
【００９５】
（予約登録処理）
まず、レコーダ装置１００における予約登録処理について、図５（ａ）〜（ｃ）を参照しつつ以下に説明する。図５（ａ）〜（ｃ）は、レコーダ装置１００における予約登録処理を示す図であり、（ａ）は予約登録処理後の記憶部２８０の状態を模式的に示した図であり、（ｂ）は予約登録処理後の記憶部３４０およびマイディスク１の状態を模式的に示した図であり、（ｃ）は予約登録処理の際の表示装置における表示の一例を示した図である。
【００９６】
予約登録処理とは、記憶部２８０および光ディスクに対して予約情報を登録する処理である。予約登録処理については、記憶部３４０の領域１に対応付けられたディスク１を装填している場合を例に挙げて説明する。
【００９７】
ユーザーが操作入力部を介して予約情報を入力すると、バックエンド制御部２４０は、入力された予約情報を記憶部２８０の予約情報管理領域に記録する。このとき、記憶部２８０の予約情報管理領域に記録される予約情報は、図５（ａ）に示すように、「録画チャンネル」、「録画年月日」および「録画時間」と共に、「記録対象マイディスク」の情報を含む。以下、記録対象マイディスク情報として、装填されているマイディスクのメディアＩＤを例に挙げて説明するが、マイディスクを識別可能な情報であれば他の情報であってもよい。なお、予約情報に含まれる各情報は、ユーザーが入力するようにしてもよいし、電子番組表においてユーザーが選択した番組を表す番組情報に基づいて設定するようにしてもよい。
【００９８】
バックエンド制御部２４０は、予約情報を記憶部２８０に記録すると共に、ドライブ制御部３２０に対して、ドライブ部３００に装填されているディスク１に対して予約情報を書き込むように指示する。ドライブ制御部３２０は、バックエンド制御部２４０からの指示を受けて、ユーザーの設定した予約情報を、ディスク１に記録するようにディスクドライブ部３３０に対して指示する。ディスクドライブ部３３０は、ドライブ制御部３２０からの指示を受けて、ユーザーの設定した予約情報をディスク１の所定の領域（予約情報管理領域）に記録する（図５（ｂ））。このとき、ディスク１には、既にメディアＩＤは記録されているため、メディアＩＤについては記録しなくてもよい。
【００９９】
なお、予約情報の設定の際にユーザーが記録対象マイディスクを選択することができるようにしてもよい。この場合、ユーザーの選択した記録対象マイディスクがドライブ部３００に装填されていない場合には、予約情報の登録時点で、対象とするマイディスクをドライブ部３００に装填するようにユーザーに対して警告するようにすることが好ましい。
【０１００】
図５（ｃ）には、記憶部３４０の領域１に対応付けられたディスク１を装填している場合に予約登録した際の表示装置に表示する画像の一例を示している。
【０１０１】
（マイディスクが装填されている場合の録画処理）
次に、記憶部２８０の予約情報管理領域に記録されている予約情報に含まれているメディアＩＤのマイディスクがドライブ部３００に装填されている場合の録画処理について、図６（ａ）および（ｂ）を参照しつつ以下に説明する。図６（ａ）および（ｂ）は、マイディスクが装填されている状態での録画処理を示す図であり、（ａ）は録画処理後の記憶部３４０およびマイディスク１の状態を模式的に示した図であり、（ｂ）は録画処理後の記憶部２８０の状態を模式的に示した図である。
【０１０２】
コンテンツ１の録画が完了すると、図６（ｂ）に示すように、バックエンド制御部２４０は、コンテンツ１の予約録画を示す予約情報を記憶部２８０における予約情報管理領域から消去する。また、コンテンツ１のディスク１への記録が完了すると、ドライブ制御部３２０はディスク１の予約情報管理領域に記録されている予約情報を消去するようにディスクドライブ部３３０に対して指示する。
【０１０３】
次に、コンテンツ１を記憶部３４０の領域１およびディスク１に記録した際の記憶部３４０および記憶部２８０の状態について図７（ａ）〜（ｃ）を参照しつつ以下に説明する。図７（ａ）〜（ｃ）は、コンテンツ１を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【０１０４】
ここで、一般的には、記憶部３４０の領域１とディスク１とのデータ容量は異なる。そのため、領域１では、物理アドレスとは別に、ディスク１におけるアドレスと一致するような仮想アドレスが割り当てられている。この仮想アドレスを用いてデータを読み出したり、書き込んだりすることにより、バックエンド部２００では、記憶部３４０に格納されているコンテンツをドライブ部３００に装填されているディスク１に記録されているかのように扱うことができる。本明細書等では、記憶部３４０の各領域に設定された仮想アドレスを用いて表される記憶領域を「仮想ディスクイメージ」と称する。
【０１０５】
図７（ａ）には、記憶部３４０の領域１における仮想ディスクイメージを示している。図７（ａ）に示すように、記憶部３４０の領域１において、物理アドレス「０ｘ０００」を先頭アドレスとしてコンテンツ１（データ容量：ＸＧＢ）が記録されている場合、仮想ディスクイメージ上では、コンテンツ１は仮想アドレス「０ｘ０５０」を先頭アドレスとして記録されている。すなわち、コンテンツ１をディスク１に対して書き込む場合、ドライブ制御部３２０は、ディスクドライブ部３３０に対して、ディスク１のアドレス「０ｘ０５０」を表すセクタからコンテンツ１を書き込むように指示する。これによって、領域１からディスク１に対するコンテンツの記録を容易に実行することができる。
【０１０６】
続いて、図７（ａ）において示した物理アドレスと仮想アドレスとの関連付けを実現するためのマップテーブルについて、図７（ｂ）を参照しつつ説明する。
【０１０７】
マップテーブルは、記憶部３４０のマイディスク管理領域におけるマップ情報として記録されている。マップテーブルは、図７（ｂ）に示すように、コンテンツ毎に、仮想ディスクイメージにおけるマップを表す仮想ディスクマップと、記憶部３４０の領域１におけるマップを表すメモリマップとが関連付けられて記録されている。また、コンテンツに対して、当該コンテンツがマイディスクに記録されているか否かを表す同期フラグが関連付けられて記録されている。
【０１０８】
なお、本明細書等において記憶部３４０のある領域に記録されているコンテンツが、当該ある領域に対応付けられたマイディスクに記録されている状態のことを「同期」と称する。同様に、記憶部３４０のある領域に記録されているコンテンツを、当該ある領域に対応付けられたマイディスクに対して記録される処理を「同期処理」と称する。
【０１０９】
マップテーブルは、コンテンツ１が領域１に記録されると共に内容が更新される。記憶部３４０の領域１が図７（ａ）に示す状態である場合のマップテーブルを、図７（ｂ）に示す。図７（ｂ）に示すように、マップテーブルは、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＸＧＢが設定されている。また、領域１からディスク１への書き込みが完了すると共に、マップテーブルにおける同期フラグが、コンテンツがマイディスクに記録されていることを表す「１」となる。
【０１１０】
このようなマップテーブルを参照することにより、バックエンド制御部２４０からディスク１への書き込み命令を受けたドライブ制御部３２０は、バックエンド制御部２４０から受けたディスク１への書き込み命令を領域１への書き込み命令に変更することができる。また、ディスク１からの読み出し命令の場合も同様に、マップテーブルを参照することにより、領域１からの読み出し命令に変更することができる。
【０１１１】
なお、図７（ｂ）におけるエントリパラメータとは、エントリ番号、メディアＩＤ情報、割り当てエリア情報などを記録する領域であり、エントリデータ領域とは、メディアキー情報および領域１におけるトラック情報などを記録する領域である。
【０１１２】
また、コンテンツ１が領域１に記録されると共に、記憶部２８０におけるディスク１のタイトル管理領域にタイトル管理情報として記録されているタイトル管理テーブルが更新される。コンテンツ１に関する情報が設定されるコンテンツ管理領域に記録されているタイトル管理テーブルについて、図７（ｃ）を参照して説明する。なお、タイトル管理領域は、記憶部３４０において仮想的に分割されている領域の数だけ記憶部２８０に設けられている。
【０１１３】
タイトル管理テーブルには、図７（ｃ）に示すように、各コンテンツを示すタイトル名に対して、コンテンツの再生所要時間、コンテンツの再生画質、コンテンツの残りダビング回数（最大で１０とする）および同期状態を示す情報が関連付けられて記録されている。なお、コンテンツ１を示すタイトルをタイトル１として表記する。同様に、コンテンツ２〜コンテンツｎを示すタイトルをタイトル２〜タイトルｎとして表記する。
【０１１４】
図７（ｂ）に示したマップテーブルを設定したときのタイトル管理テーブルの一例を、図７（ｃ）に示している。このとき、タイトル１における残りダビング回数は、コンテンツ１をディスク１へ記録したため、残り１０回から１回減算されて「９」回となっている。
【０１１５】
（マイディスクが装填されていない場合の録画処理）
続いて、記憶部２８０の予約情報管理領域に記録されている予約情報に含まれているメディアＩＤのマイディスクがドライブ部３００に装填されていない場合の録画処理について、図８（ａ）および（ｂ）を参照しつつ以下に説明する。図８（ａ）および（ｂ）は、レコーダ装置１００においてマイディスクが装填されていない状態での録画処理を示す図であり、（ａ）は録画処理後の記憶部３４０の状態を模式的に示した図であり、（ｂ）は録画処理後の記憶部２８０の状態を模式的に示した図である。
【０１１６】
レコーダ装置１００において、記憶部２８０の予約情報管理領域に記録されている予約情報により録画されるコンテンツ（コンテンツ２）の録画が開始された時点でドライブ部３００にディスク１が装填されていない場合であっても、バックエンド制御部２４０はコンテンツ２をディスク１に対して記録するようにドライブ制御部３２０に対して指示する。バックエンド制御部２４０からの指示を受けたドライブ制御部３２０は、ディスクドライブ部３３０にディスク１が装填されていないため、バックエンド制御部２４０からのディスク１への書き込み命令を記憶部３４０の領域１への書き込み命令に変換し、コンテンツ２を領域１に記録する。このとき、ディスク１はドライブ部３００に装填されていないため、ディスク１に対してコンテンツ２を記録する処理は実行されない。
【０１１７】
コンテンツ２の録画が終了すると、図８（ｂ）に示すように、バックエンド制御部２４０は記憶部２８０における予約情報管理領域からコンテンツ２の予約録画を示す予約情報を消去する。
【０１１８】
次に、コンテンツ２を記憶部３４０の領域１に記録した際の記憶部３４０および記憶部２８０の状態について図９（ａ）〜（ｃ）を参照しつつ以下に説明する。図９（ａ）〜（ｃ）は、コンテンツ２を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【０１１９】
図９（ａ）に示すように、記憶部３４０の領域１における物理アドレス「０ｘ０００」を先頭アドレスとしてコンテンツ１（データ容量：ＸＧＢ）が記録されているため、コンテンツ２（データ容量：ＸＧＢ）は、記憶部３４０の領域１における物理アドレス「０ｘ２００」を先頭アドレスとしてコンテンツ１に続けて記録される。このとき、コンテンツ２は、仮想ディスクイメージ上でも、仮想アドレス「０ｘ２５０」を先頭アドレスとしてコンテンツ１に続けて記録される。ディスク１はドライブ部３００に装填されていないため、当然ながらコンテンツ２はディスク１に対して記録されていない。
【０１２０】
コンテンツ２が領域１に記録されると共に、記憶部３４０のエントリ１におけるマップ情報に記録されているマップテーブルも更新される。記憶部３４０の領域１が図９（ａ）に示す状態のマップテーブルを、図９（ｂ）に示す。図９（ｂ）に示すように、図７（ｂ）に示したマップテーブルに加えて、コンテンツ２における仮想ディスクマップにおける先頭アドレスとして「０ｘ２５０」が設定され、データサイズとしてＸＧＢが設定され、メモリマップにおける先頭アドレスとして「０ｘ２００」が設定され、データサイズとしてＸＧＢが設定される。このとき、領域１からディスク１への書き込みは実行されないため、マップテーブルにおけるコンテンツ２の同期フラグは、コンテンツがマイディスクに記録されていないことを表す「０」となっている。
【０１２１】
また、図９（ｃ）には、図９（ｂ）に示したマップテーブルが設定されたときのタイトル管理テーブルの一例を示している。図９（ｃ）に示すように、タイトル管理テーブルでは、図７（ｃ）に示したコンテンツ１を示すタイトル１のタイトル管理情報に加えて、コンテンツ２を示すタイトル２のタイトル管理情報が加えられる。このとき、タイトル２は、ディスク１に対して記録されていないため、タイトル２における残りダビング回数は「１０」回のままであり、同期状態は未同期を示す情報である。
【０１２２】
（コンテンツの同期処理）
次に、記憶部３４０に記録されたコンテンツであってマイディスクに対して記録されていないコンテンツを、マイディスクに対して記録する同期処理について、図１０〜図１２（ａ）〜（ｃ）を参照して以下に説明する。
【０１２３】
ディスク１がドライブ部３００に装填されると、ドライブ制御部３２０は、エントリ１のマップテーブルを参照して、同期フラグが「０」であるコンテンツがあるか否かを判定する。例えば、同期フラグが「０」であるコンテンツ２が存在する場合、ドライブ制御部３２０は、記憶部３４０の領域１に記録されているコンテンツ２を、ディスク１に記録する（書き出す）ようにディスクドライブ部３３０に対して指示する。ディスクドライブ部３３０は、ドライブ制御部３２０からの指示を受けて記憶部３４０の領域１に記録されているコンテンツ２をディスク１に書き出す。これによって、記憶部３４０の領域１に記録されているコンテンツ１およびコンテンツ２がいずれもディスク１にも記録されている状態になる（図１０）。すなわち、コンテンツ２は同期状態となる。
【０１２４】
ドライブ制御部３２０は、ディスク１に対するコンテンツ２の書き出しが完了すると、バックエンド部２００に対してコンテンツ２の同期処理が完了したことを通知する。バックエンド制御部２４０は、この通知を受けて、記憶部２８０におけるディスク１のタイトル管理領域に記録されているタイトル管理テーブルを更新する。
【０１２５】
また、ドライブ制御部３２０は、ディスク１に対するコンテンツ２の書き出しが完了すると、ディスクドライブ部３３０に対して、ディスク１に記録されているコンテンツ２を予約録画するための予約情報の消去を指示する。指示を受けたディスクドライブ部３３０は、ディスク１の予約情報管理領域に記録されているコンテンツ２を予約録画するための予約情報を削除する（図１０）。なお、図１０は、コンテンツの同期処理後の記憶部３４０およびディスク１の状態を示す図である。
【０１２６】
次に、記憶部３４０の領域１に記録されているコンテンツ２をディスク１に書き出した際の記憶部３４０および記憶部２８０の状態について図１１（ａ）〜（ｃ）を参照しつつ以下に説明する。図１１（ａ）〜（ｃ）は、コンテンツ２を同期処理した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【０１２７】
図１１（ａ）に示すように、仮想ディスクイメージにおいて、コンテンツ２は、仮想アドレス「０ｘ２５０」を先頭アドレスとして記録されている。このとき、ディスク１では、「０ｘ２５０」を先頭アドレスとしてコンテンツ２を記録することができるため、コンテンツ２は、ディスク１のアドレス「０ｘ２５０」を先頭アドレスとしてディスク１に記録される。
【０１２８】
コンテンツ２の同期処理が完了すると、図１１（ｂ）に示すように、エントリ１のマップ情報に記録されているマップテーブルの同期フラグが、コンテンツがマイディスクに記録されていることを表す「１」となる。また、図１１（ｃ）に示すように、記憶部２８０に記録されているディスク１のタイトル管理テーブルにおいて、タイトル２における残りダビング回数が１減算されて「９」回となると共に、同期状態が同期を示す情報に変更される。
【０１２９】
次に、ディスク１において「０ｘ２５０」を先頭アドレスとするコンテンツ（コンテンツ３）が既に記録されている場合のコンテンツ２の同期処理について、図１２（ａ）〜（ｄ）を参照して以下に説明する。
【０１３０】
図１２（ａ）〜（ｄ）は、コンテンツ２を同期処理した際の記憶部３４０および記憶部２８０の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【０１３１】
図１２（ａ）に示すように、仮想ディスクイメージにおけるコンテンツ２の先頭アドレスである「０ｘ２５０」を先頭アドレスとするコンテンツ３が既にディスク１に記録されている場合、ディスク１のアドレス「０ｘ２５０」を先頭アドレスとしてコンテンツ２をディスク１に記録することができない。
【０１３２】
このとき、ドライブ制御部３２０は、記憶部３４０における仮想ディスクイメージを変更することにより、コンテンツ２をディスク１に記録できるようにする。すなわち、ドライブ制御部３２０は、ディスク１においてアドレス「０ｘ２５０」を先頭アドレスとして記録されているコンテンツ３を、仮想ディスクイメージにおいても仮想アドレス「０ｘ２５０」を先頭アドレスとして記録されているように設定し、コンテンツ２をコンテンツ３に続くように仮想アドレス「０ｘ４００」を先頭アドレスとして記録されているように設定する。すなわち、ドライブ制御部３２０は、領域１における仮想ディスクイメージを変更する。これによって、変更された仮想ディスクイメージでは、コンテンツ２の先頭アドレスが「０ｘ４００」となるため、「０ｘ４００」を先頭アドレスとしてディスク１にコンテンツ２を記録することができる。
【０１３３】
このとき、領域１のマップテーブルについても、図１２（ｃ）に示すように変更される。すなわち、仮想ディスクマップにおけるコンテンツ２の先頭アドレスは、「０ｘ４００」となり、コンテンツがマイディスクに記録されていることを表す「１」となる。また、仮想ディスクマップにおいて、先頭アドレスが「０ｘ２５０」であり、コンテンツ容量がＹＧＢのコンテンツ３が登録される。コンテンツ３は、領域１には記録されていないコンテンツであるため、メモリマップには先頭アドレスが記録されず、同期フラグについても記録されない。
【０１３４】
同様に、図１２（ｄ）に示すように、記憶部２８０におけるディスク１のタイトル管理テーブルにおいてもタイトル２に対応付けられた同期状態が同期を表す情報に変更され、コンテンツ３を示すタイトル３に対応付けられた情報（再生時間および再生画質）が登録される。このとき、コンテンツ３は、ディスク１にのみ記録されているコンテンツであり、ダビングすることはできないため、タイトル３における残りダビング回数は表示されない。
【０１３５】
（領域１に記録されているコンテンツの削除）
記憶部３４０における領域１の空き容量が少なくなった場合には、領域１に記録されているコンテンツを削除するようにすればよい。領域１に記録されているコンテンツの削除は、ユーザーの指示により実行されるようにしてもよいし、領域１における空き容量が所定値以下となった場合に自動的に実行されるようにしてもよい。
【０１３６】
図１３は、領域１に記録されていたコンテンツ１およびコンテンツ２を削除した後に、新たにコンテンツ４を録画したときの記憶部３４０およびディスク１の状態を示す図である。なお、図１３は、マイディスクが装填されている状態での録画のため、コンテンツ４はディスク１に対しても記録されている。
【０１３７】
図１３に示す状態、すなわちコンテンツ１およびコンテンツ２を領域１から削除した後に領域１にコンテンツ４を記録したときの記憶部３４０および記憶部２８０の状態について図１４（ａ）〜（ｃ）を参照しつつ以下に説明する。図１４（ａ）〜（ｃ）は、コンテンツ４を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【０１３８】
ドライブ制御部３２０は、領域１からコンテンツ１およびコンテンツ２が削除されると、記憶部３４０のエントリ１に記録されているマップテーブルにおけるメモリマップからコンテンツ１およびコンテンツ２に関する情報を削除する。また、ドライブ制御部３２０は、コンテンツ１およびコンテンツ２に関連付けられた同期フラグについても削除する。ただし、図１４（ａ）に示すように、コンテンツ１およびコンテンツ２は、仮想ディスクイメージ上においては消去されることなく残されている。すなわち、図１４（ｂ）に示すように、領域１からコンテンツ１およびコンテンツ２を削除したとしても、マップテーブルにおける仮想ディスクマップからはコンテンツ１およびコンテンツ２の情報は削除されることなく残されることになる。
【０１３９】
したがって、ドライブ制御部３２０は、仮想ディスクイメージにおいて既に記録されているコンテンツ２に続くように、すなわち仮想アドレス「０ｘ６５０」を先頭アドレスとしてコンテンツ４を記録するようにディスクドライブ部３３０に指示する。
【０１４０】
また、図１４（ｃ）に示すように、領域１からコンテンツ１およびコンテンツ２が削除されることに伴って、記憶部２８０におけるタイトル管理テーブルも変更される。領域１に記録されていたコンテンツ１およびコンテンツ２が削除されると、バックエンド制御部２４０は、記憶部２８０におけるタイトル管理テーブルにおけるコンテンツ１およびコンテンツ２の残りダビング回数および同期状態を示す情報を削除する。次に、コンテンツ４が領域１に記録されると、バックエンド制御部２４０は、コンテンツ４を示すタイトル（タイトル４）に関する情報をタイトル管理テーブルに登録する。
【０１４１】
＜コンテンツ再生動作＞
次に、レコーダ装置１００におけるコンテンツの再生動作について、図１５〜図１８を参照しつつ以下に説明する。
【０１４２】
コンテンツの再生処理は、操作入力部を介したユーザーからのコンテンツ再生指示を受けて実行される処理である。例えば、表示装置に表示されているタイトルの再生をユーザーが選択すると、バックエンド制御部２４０は、選択されたタイトルにより表されるコンテンツの再生指示を受けたとして当該コンテンツの再生処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１４３】
なお、レコーダ装置１００におけるコンテンツの再生動作は、マイディスクが装填されている場合の再生処理と、マイディスクが装填されていない場合の再生処理とに大別することができる。各再生処理について以下に説明する。
【０１４４】
（マイディスクが装填されている場合の再生処理）
マイディスクが装填されている場合の再生処理について、図１５および図１６を参照して以下に説明する。図１５は、コンテンツ１〜３を記録したディスク１が装填されている場合の記憶部３４０および記憶部２８０の状態を示す図である。図１６は、マイディスクが装填されている場合において、再生時にコンテンツが読み出される媒体を模式的に示した図である。
【０１４５】
図１５に示すように、ドライブ部３００には、コンテンツ１〜３の記録されているディスク１が装填されており、記憶部３４０の領域１にコンテンツ１およびコンテンツ２が記録されている。そのため、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１５では、タイトル管理テーブルの詳細については省略して示している。
【０１４６】
マイディスクが装填されている場合の再生処理としては、まず、ディスク１および領域１のいずれにも記録されているコンテンツ１を再生する場合の再生処理について説明した後、ディスク１に記録されているが、領域１には記録されていないコンテンツ３を再生する場合の再生処理について説明する。
【０１４７】
バックエンド制御部２４０は、ディスク１に記録されているコンテンツ１を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１からの読み出し命令を、マップテーブルを参照して、領域１からの読み出し命令に変換する。すなわち、ドライブ制御部３２０は、ディスク１のアドレスを、マップテーブルを参照して、領域１の物理アドレスに変換する。
【０１４８】
領域１からコンテンツ１を読み出したドライブ制御部３２０は、読み出したコンテンツ１を、インターフェース部３１０を介してバックエンド部２００に出力する。
【０１４９】
このように、読み出しの対象となるコンテンツがマイディスクにも記憶部３４０にも記録されている場合、図１６に示すように、コンテンツは記憶部３４０から読み出される。
【０１５０】
ディスク１に記録されているが、領域１には記録されていないコンテンツ３を再生する場合も同様に、バックエンド制御部２４０がディスク１に記録されているコンテンツ３を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１からの読み出し命令にしたがって、ディスクドライブ部３３０に対してコンテンツ３を読み出すように指示する。
【０１５１】
ディスク１からコンテンツ３が読み出されると、ドライブ制御部３２０は、読み出したコンテンツ３を、インターフェース部３１０を介してバックエンド部２００に出力する。
【０１５２】
このように、読み出しの対象となるコンテンツが記憶部３４０に記録されていない場合、図１６に示すように、コンテンツはマイディスクから読み出される。
【０１５３】
（マイディスクが装填されていない場合の再生処理）
続いて、マイディスクが装填されていない場合の再生処理について、図１７および図１８を参照して以下に説明する。図１７は、ドライブ部３００に光ディスクが装填されていない場合の記憶部３４０および記憶部２８０の状態を示す図である。図１８は、マイディスクが装填されていない場合において、再生時にコンテンツが読み出される媒体を模式的に示した図である。
【０１５４】
図１７に示すように、記憶部３４０の領域１には、コンテンツ１およびコンテンツ２が記録されている。しかし、図１５の場合とは異なり、ドライブ部３００には、コンテンツ１〜３の記録されているディスク１が装填されていない。なお、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１７では、図１５と同様に、タイトル管理テーブルの詳細については省略して示している。
【０１５５】
図１７に示すような状態の場合、バックエンド部２００において認識しているタイトル１〜３により表されるコンテンツ１〜３のうち、記憶部３４０の領域１に記録されているコンテンツ１およびコンテンツ２については再生することができるが、ディスク１にのみ記録されているコンテンツ３については再生することができない。
【０１５６】
すなわち、図１８に示すように、読み出しの対象となるコンテンツがマイディスクにも記憶部３４０にも記録されている場合には、マイディスクが装填されている場合と同様の処理により、コンテンツは記憶部３４０から読み出される。しかし、ディスク１にのみ記録されているコンテンツについては読み出すことはできない。
【０１５７】
なお、図１８に示すコンテンツ１の読み出し処理は、マイディスクが装填されている場合におけるコンテンツ１の読み出し処理と同様であるため、ここでは説明を省略する。
【０１５８】
＜コンテンツ編集動作＞
次に、レコーダ装置１００におけるコンテンツの編集動作について、図１９および図２０（ａ）および（ｂ）を参照しつつ以下に説明する。
【０１５９】
コンテンツの編集処理は、操作入力部を介したユーザーからのコンテンツ編集指示を受けて実行される処理である。例えば、表示装置に表示されているタイトルの編集をユーザーが選択すると、バックエンド制御部２４０は、選択されたタイトルにより表されるコンテンツの編集指示を受けたとして、ユーザーにより選択されたコンテンツの編集処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。すなわち、タイトル管理テーブルに登録されているタイトルは、記録されている媒体を問わず編集処理を行うことができる。
【０１６０】
レコーダ装置１００におけるコンテンツ編集動作も、コンテンツ再生処理と同様に、マイディスクが装填されている場合の編集処理と、マイディスクが装填されていない場合の編集処理とに大別することができる。各編集処理について以下に説明する。
【０１６１】
なお、コンテンツの編集処理とは、マイディスクまたは記憶部３４０に記録されているコンテンツの少なくとも一部のデータを変更する処理であり、具体的には、コンテンツにおけるシーン消去（コンテンツデータの一部変更）、コンテンツの削除およびコンテンツにおけるチャプターの追加を含む処理である。なお、ここではコンテンツにおけるシーン消去を例に挙げて説明するが、他の処理であっても同様に処理することができる。
【０１６２】
（マイディスクが装填されている場合の編集処理）
マイディスクが装填されている場合の編集処理について、図１５および図１９を参照して以下に説明する。図１９は、マイディスクが装填されている場合において、コンテンツが編集される媒体を模式的に示した図である。
【０１６３】
図１５に示すように、ドライブ部３００には、コンテンツ１〜３の記録されているディスク１が装填されており、記憶部３４０の領域１にコンテンツ１およびコンテンツ２が記録されている。また、記憶部２８０のタイトル管理領域のタイトル管理テーブルには、タイトル１〜３に関する情報が記録されており、バックエンド部２００では、タイトル１〜３により表されるコンテンツ１〜３を認識することができる。なお、図１５では、タイトル管理テーブルの詳細については省略して示している。
【０１６４】
マイディスクが装填されている場合の再生処理としては、まず、ディスク１および領域１のいずれにも記録されているコンテンツ１を編集する場合の処理について説明した後、ディスク１に記録されているが、領域１には記録されていないコンテンツ３を編集する場合の処理について説明する。
【０１６５】
バックエンド制御部２４０は、ディスク１に記録されているコンテンツ１のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１におけるデータを変更する命令を、マップテーブルを参照して、領域１におけるデータを変更する命令に変換する。すなわち、ドライブ制御部３２０は、マップテーブルを参照して、ディスク１のアドレスを、領域１の物理アドレスに変換するため、実際には、領域１に記録されているコンテンツ１のデータが変更されることになる。
【０１６６】
このように、データを変更する対象となるコンテンツがマイディスクにも記憶部３４０にも記録されている場合、図１９に示すように、記憶部３４０に記録されているコンテンツのデータが変更されることになる。
【０１６７】
しかし、このままではディスク１に記録されているコンテンツ１と、領域１に記録されているコンテンツ１とが異なったまま（非同期状態）となってしまうため、ドライブ制御部３２０は、領域１に記録されているコンテンツ１に対して行ったデータの変更をディスク１に記録されているコンテンツ１に対しても反映させる。ディスク１に記録されているコンテンツ１に対する変更の反映は、ディスク１がドライブ部３００から取り出されるまでの間であればいつ行うようにしてもよい。
【０１６８】
ディスク１に記録されているが、領域１には記録されていないコンテンツ３のデータを変更する場合も同様に、バックエンド制御部２４０がディスク１に記録されているコンテンツ３のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１に記録されているコンテンツ３のデータを変更する命令にしたがって、ディスクドライブ部３３０に対してコンテンツ３のデータを変更するように指示する。
【０１６９】
（マイディスクが装填されていない場合の編集処理）
続いて、マイディスクが装填されていない場合のコンテンツの編集処理について、図１７および図２０（ａ）および（ｂ）を参照して以下に説明する。図２０（ａ）および（ｂ）は、マイディスクが装填されていない場合において、コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【０１７０】
図１７に示すような状態の場合、バックエンド部２００において認識しているタイトル１〜３により表されるコンテンツ１〜３のうち、記憶部３４０の領域１に記録されているコンテンツ１およびコンテンツ２についてはディスク１が装填されている場合と同様の編集処理を行うことができる。
【０１７１】
すなわち、図２０（ｂ）に示すように、他のレコーダ装置においてディスク１のコンテンツ２が変更されていた場合、ドライブ制御部３２０は、ディスク１におけるコンテンツ２の変更を領域１に記録されているコンテンツ２に対して反映させる。このとき、エントリ１に記録されているマップテーブルについても併せて更新する。
【０１７２】
＜コンテンツコピー動作＞
次に、レコーダ装置１００におけるコンテンツのコピー動作について、図２１（ａ）および（ｂ）を参照しつつ以下に説明する。ここでは、レコーダ装置１００における記憶部３４０内のメモリ内コピー動作を例に挙げて説明する。なお、メモリ内コピー動作とは、レコーダ装置１００におけるメモリ内ダビング動作と言い換えることもできる。図２１（ａ）および（ｂ）は、レコーダ装置１００におけるメモリ内コピー処理を示す図であり、（ａ）は、メモリ内コピー処理後の記憶部３４０の状態を示す図であり、（ｂ）はメモリ内コピー処理後の記憶部２８０におけるタイトル管理領域の状態を示す図である。
【０１７３】
コンテンツのメモリ内コピー処理は、操作入力部を介したユーザーからのコンテンツコピー指示を受けて実行される処理である。例えば、表示装置に表示されているタイトルからユーザーがタイトルを選択し、選択したタイトルをいずれの領域にコピーするのかを決定すると、バックエンド制御部２４０は、選択されたタイトルにより表されるコンテンツを選択された記憶部３４０における領域へコピーする指示を受けたとして当該コンテンツのメモリ内コピー処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１７４】
記憶部３４０の領域１に記録されているコンテンツ２を記憶部３４０の領域２にコピーするユーザーからの指示を受けたバックエンド制御部２４０は、ドライブ制御部３２０に対して、領域１に記録されているコンテンツ２を領域２に記録するように指示する。バックエンド制御部２４０からの指示を受けたドライブ制御部３２０は、図２１（ａ）に示すように、コンテンツ２を領域２に記録する。このとき、ドライブ制御部３２０は、エントリ２に記録されているマップテーブルを更新する。なお、領域２におけるコンテンツ２の記録およびそれに伴うマップテーブルの更新については、録画動作において説明した処理と同様であるため、説明を省略する。
【０１７５】
コンテンツ２の領域２への記録が完了すると、バックエンド制御部２４０は、記憶部２８０におけるディスク１のタイトル管理領域に記録されているタイトル管理情報におけるコンテンツ２の残りダビング回数を１減算する。また、記憶部２８０におけるディスク２のタイトル管理領域に記録されているタイトル管理情報におけるコンテンツ２の残りダビング回数を１加算する。これによって、図２１（ｂ）に示すように、ディスク１のタイトル管理領域におけるコンテンツ２の残りダビング回数は「８」となり、ディスク２のタイトル管理領域におけるコンテンツ２の残りダビング回数は「１」となる。
【０１７６】
なお、図２１（ａ）に示すように、ディスク２はドライブ部３００に装填されていないため、領域２に記録されているコンテンツ２の同期状態は、未同期を表す情報である。
【０１７７】
＜マイディスクの登録解除＞
次に、マイディスクの登録解除処理について説明する。ユーザーからのディスク１の登録解除指示を受けたドライブ制御部３２０は、記憶部３４０において記録されている、登録を解除するディスク１に対応付けられた領域を管理する管理情報を消去する。すなわち、エントリにおけるメディアＩＤ情報、メディアキー情報およびマップ情報を削除すると共に、割り当てフラグを、割り当てが行われていないことを示す「０」に変更する。また、領域にデータが記録されている場合には、記録されているデータも消去する。これによって、記憶部３４０におけるエントリは、新たなマイディスクの登録が可能な状態となる。
【０１７８】
また、ユーザーからのディスク１の登録解除指示を受けたバックエンド制御部２４０は、記憶部２８０におけるディスク１のタイトル管理領域に記録されているタイトル管理情報を削除する。これによって、バックエンド部２００において、ディスク１に記録されていたコンテンツを示すタイトルを認識することができなくなる。
【０１７９】
（マイディスクのファイルシステムの利用）
レコーダ装置１００では、マイディスクとして登録されている光ディスクへのデータの書き込みおよび光ディスクからのデータの読み出しには、マイディスクとして登録されている光ディスクから取得したファイルシステムを用いることが好ましい。
【０１８０】
ここで、光ディスクのファイルシステムを利用したデータ管理について、図２２（ａ）〜（ｃ）を参照しつつ以下に説明する。図２２（ａ）〜（ｃ）は、ファイルシステムを用いたデータ管理を示す図であり、（ａ）は記憶部２８０に記録されているファイルシステムの一例を示し、（ｂ）は領域１におけるコンテンツの記録状態に対応するディスク１の記録状態の対応関係を示し、（ｃ）はファイル毎のマップテーブルを示す図である。
【０１８１】
通常、光ディスク内には、光ディスクの種類毎に規格によって定められたファイルシステムが記録されており、そのファイルシステムによって、光ディスクに記録されている各ファイルと各ファイルの記録されているアドレスが関連づけられている。なお、ファイルシステムは、光ディスクの記録領域における先頭部分に記録されていることが多い。
【０１８２】
バックエンド部２００では、データの読み出し、あるいはデータの書き込みの対象となる光ディスクのアドレスを指定するために、光ディスクから取得したファイルシステムを参照する。ファイルシステムは、光ディスクが装填された時に、メディアＩＤなどと共に取得され、バックエンド部２００の揮発性メモリに保持される。また、予期しない電源断などに対応するために、取得したファイルシステムは、記憶部２８０にも保持している（図２２（ａ））。バックエンド部２００では、光ディスクが装填されるたびに光ディスクからファイルシステムを取得し、取得したファイルシステムと自装置に記録されているファイルシステムとを比較して、ファイルの最新の状態が維持されるようにしている。
【０１８３】
すなわち、バックエンド部２００は、マイディスクとして登録されている光ディスクから読み出したファイルシステムと、既に記憶部２８０に記録されているファイルシステム（その光ディスクから直近に読み出したファイルシステム）とを比較することにより、バックエンド部２００は光ディスクに記録されていて記憶部３４０に記録されていないコンテンツの情報（例えば、そのコンテンツの記録されている光ディスクのアドレス、そのコンテンツを示すタイトル情報など）を取得する。
【０１８４】
なお、図２２（ａ）には、ディスク１に関するファイルシステムについてのみ示しているが、記憶部２８０のファイルシステム管理領域には、マイディスクとして登録されているディスクの数だけファイルシステムが記録されている。
【０１８５】
このように、マイディスクとして登録している光ディスクのファイルシステムを記憶部２８０に記録することにより、バックエンド部２００は、光ディスクが装填されていない状態であったとしても、記憶部２８０に記録されているファイルシステムを参照して仮想ディスクイメージ上のファイルへのアクセスが可能となる。すなわち、マイディスクが装填されていない場合であっても、あたかもマイディスクが装填されているかのようにデータを扱うことができる。例えば、記憶部３４０のマップ情報において、アクセス対象とする仮想アドレスに対応する記憶部３４０のアドレスが記録されている場合には、記憶部３４０のアドレスを用いて、当該アドレスに記録されているデータを読み出すことができる。
【０１８６】
さらに、図２２（ｂ）および（ｃ）に示すように、コンテンツ１が複数の断片化されたファイルに分割されて光ディスクに記録されている場合であっても、バックエンド制御部２４０は、記憶部２８０に記録されているファイルシステムにおけるコンテンツ１の配置情報を参照することにより、コンテンツ１に対して的確にアクセスすることができる。
【０１８７】
このように、記憶部３４０に記録されているマップ情報は、本実施形態ではコンテンツごとの配置情報として示しているが、より正確には、図２２（ｃ）に示すように、領域（ファイル）ごとの配置情報を示すものである。
【０１８８】
また、マイディスクの登録解除の際には、ファイルシステム管理領域に記録されているファイルシステムについても、タイトル管理情報と併せて削除される。
【０１８９】
＜表示装置における表示例＞
最後に、レコーダ装置１００に接続された表示装置におけるコンテンツとタイトルリストに記録されている情報との表示例について、図２３を参照しつつ以下に説明する。図２３は、表示装置５００上でのコンテンツおよびタイトルリストに記録されている情報の表示を概略的に示す図である。
【０１９０】
操作入力部を介してユーザーがタイトルリストの表示をレコーダ装置１００に対して指示すると、表示装置５００では、タイトルリストおよびコンテンツが図２３に示すように表示される。
【０１９１】
すなわち、図２３に示すように、表示装置５００における表示画面は、これまで視聴していたコンテンツを引き続き表示するコンテンツ表示部５１０と、タイトルリストを表示するタイトルリスト表示部５２０との２つの画面に分割されることになる。
【０１９２】
タイトルリスト表示部５２０には、図２３に示すように、登録されているマイディスクに対応するタブが表示される。ユーザーがタイトルリストの確認を所望するマイディスクのタブを選択することにより、タイトルリスト表示部５２０には、ユーザーの選択したマイディスクのタイトルリストが表示されることになる。すなわち、記憶部２８０における各マイディスクのタイトル管理領域に記録されているタイトル管理テーブルの情報が表示される。
【０１９３】
図２３では、ディスク１のタブを選択したときのタイトルリストを示している。このとき、選択しているディスクを表す情報（アイコン）を表示部５３０に表示することが好ましい。また、ユーザーがタイトルリスト表示部５２０に表示されている各タイトルを選択した場合には、仮選択したタイトルにより示されるコンテンツのサムネイルを表示部５３０に表示することが好ましい。
【０１９４】
（レコーダ装置１００の動作説明）
以上、レコーダ装置１００の構成、及びレコーダ装置１００の動作の概要を説明した。次に、図１、図２４、図２５を参照して、本実施の形態に係るレコーダ装置１００のさらに詳細な構成、及び動作等を説明する。
【０１９５】
なお、まず最初に、理解の容易のため、レコーダ装置１００が実行する種々の動作の具体例を図２４を参照して説明する。次に、レコーダ装置１００の構成を図１を参照して説明する。
【０１９６】
（レコーダ装置１００の具体的な動作）
以下、図２４の概要を説明する。図２４は、レコーダ装置１００の具体的な動作を説明するための図である。なお、説明の便宜のため、レコーダ装置１００が２基（レコーダ装置Ａ、レコーダ装置Ｂ）あるものとして説明する。
【０１９７】
図２４（ａ）は、レコーダ装置Ａに光ディスクが挿入される前の様子を示す図である。レコーダ装置Ａは、この段階では、コンテンツ（番組）を録画予約するための情報である録画予約情報の更新・設定をユーザーに許諾しない。従って、ユーザーは、図２４（ａ）の段階では録画予約情報をレコーダ装置Ａに入力することはできない。
【０１９８】
図２４（ｂ）は、レコーダ装置Ａに光ディスクが挿入された様子を示す図である。ユーザーは、この段階で録画予約情報の設定が許諾される。そこで、図２４（ｂ）では、ユーザーがレコーダ装置Ａに録画予約情報（予約情報Ａ）を設定する。なお、その予約情報Ａは、レコーダ装置Ａの内部あるいは外部に設けられた操作入力部から光ディスクに記録される。また、このとき、予約情報Ａは光ディスクに書き込まれるため、レコーダ装置Ａ及び光ディスクは予約情報Ａを共有する。
【０１９９】
図２４（ｃ）は、レコーダ装置Ａから光ディスクが取り出された後の様子を示す図である。レコーダ装置Ａは、この段階では、録画予約情報の設定をユーザーに許諾しない。従って、図２４（ｃ）の段階では、ユーザーは、新たな録画予約情報をレコーダ装置Ａに入力することはできない。
【０２００】
図２４（ｄ）は、レコーダ装置Ｂに光ディスクが挿入された様子を示す図である。レコーダ装置Ｂは、光ディスクに記録された予約情報Ａを最新の録画予約情報として認識する。そして、予約情報Ａは、レコーダ装置Ｂに読み取られ、光ディスクとレコーダ装置Ｂとの間で共有される。
【０２０１】
図２４（ｅ）は、レコーダ装置Ｂにおいて、ユーザーが予約情報Ａに対して録画予約情報の追加、変更、削除を行い、新たな予約情報Ｂが設定された様子を示す図である。レコーダ装置Ｂは、自身に光ディスクが挿入されることにより録画予約情報の更新をユーザーに許諾する。そこで、レコーダ装置Ｂに光ディスクが挿入された後に、ユーザーは、予約情報Ａに対して録画予約情報の追加、変更、削除を行い、新たな予約情報Ｂを設定する。なお、その予約情報Ｂは、レコーダ装置Ｂの内部あるいは外部に設けられた操作入力部から光ディスクに記録される。
【０２０２】
図２４（ｆ）は、レコーダ装置Ｂから光ディスクが取り出された後の様子を示す図である。レコーダ装置Ｂは、この段階では、録画予約情報の設定をユーザーに許諾しない。そして、図示の通り、レコーダ装置Ａには予約情報Ａが、レコーダ装置Ｂ及び光ディスクには予約情報Ｂが、それぞれ記録されている。
【０２０３】
図２４（ｇ）は、レコーダ装置Ａに光ディスクが挿入された様子を示す図である。レコーダ装置Ａは、光ディスクに記録された予約情報Ｂを最新の録画予約情報として認識する。そして、予約情報Ｂがレコーダ装置Ａに読み取られる。その結果、図２４（ｇ）の段階で、予約情報Ｂが、光ディスクとレコーダ装置Ａとの間、そしてレコーダ装置Ｂとの間でも共有される。
【０２０４】
以上、図２４（ａ）〜図２４（ｇ）に示すように、レコーダ装置Ａ・Ｂは、光ディスクから録画予約情報（予約情報Ａ・Ｂ）を取得し、レコーダ装置Ａ・Ｂに光ディスクが挿入されたときに、予約情報Ａ・Ｂを更新して、レコーダ装置Ａ・Ｂで録画予約するための録画予約情報の更新をユーザーに許諾することを特徴としている。
【０２０５】
（レコーダ装置１００の要部説明）
次に、図１を参照しながら、より詳細なレコーダ装置１００の構成を説明する。なお、図２〜図２３を参照して説明した内容と同一の内容は説明を省略する。
【０２０６】
図１は、レコーダ装置１００のドライブ部３００の要部構成を表すブロック図である。図示のように、ドライブ部３００は、インターフェース部３１０、ドライブ制御部３２０、ディスクドライブ部３３０および記憶部３４０に加え、さらに許諾部３５０及び警告部３６０（警告手段）を備える。そして、インターフェース部３１０、ドライブ制御部３２０、ディスクドライブ部３３０、記憶部３４０、許諾部３５０および警告部３６０は、バスラインを介して互いに接続されている。
【０２０７】
許諾部３５０は、レコーダ装置１００に光ディスクが挿入されたときに、ディスクドライブ部３３０が光ディスクから取得した録画予約情報を更新して、レコーダ装置１００で録画予約するための情報である録画予約情報の更新をユーザーに許諾する。
【０２０８】
なお、許諾部３５０は、レコーダ装置１００に光ディスクが挿入されていないときに、ユーザーによる入力操作部からの入力を許諾しない（受け付けない）という動作を実現するのであれば、ドライブ部３００のドライブ制御部３２０、又は、バックエンド部２００のバックエンド制御部２４０に設けられてもよく、あるいは、バックエンド制御部２４０及びドライブ制御部３２０とは別に設けられてもよく、適宜選択してよい。従って、図１の構成はあくまで一例と言える。
【０２０９】
また、レコーダ装置１００に光ディスクが挿入されたかどうかの判定は、ディスクドライブ部３３０が光ディスクを認識したかどうかの信号を受けて、許諾部３５０が自身で判定しても、ドライブ部３００のドライブ制御部３２０が判断しても、あるいは、バックエンド部２００のバックエンド制御部２４０が判断してもよく、適宜選択してよい。
【０２１０】
さらに、光ディスク及びレコーダ装置１００における録画予約情報は、少なくとも、録画するチャンネル、時間、画質に関する情報が含まれていればよい。
【０２１１】
そして、許諾部３５０が上記許諾を行うことによって、ユーザーは、操作入力部からの入力操作によりディスクドライブ部３３０が光ディスクから取得した録画予約情報を更新し、レコーダ装置１００で録画予約するための録画予約情報の設定を行うことが可能となる。
【０２１２】
なお、録画予約の詳細は、図５を参照して説明した予約登録処理に従って行えばよく、ここでの説明は省略する。
【０２１３】
警告部３６０は、光ディスクが挿入されていないときに、ディスクドライブ部３３０が光ディスクから取得した録画予約情報の更新をすることができない旨をユーザーに警告する。
【０２１４】
その警告方法は、例えば、レコーダ装置１００に接続されたテレビの画面に録画予約情報の更新ができない旨を表示または音声により通知する、ユーザーが録画予約情報の更新に使用するユーザー操作メニューをテレビの画面に表示しない、等の方法が考えられる。あるいは、ユーザー操作メニューを表示するものの、録画予約情報の追加/変更/削除メニューがグレーアウトしてそれらのメニューを選択できなくし、加えて、グレーアウトして選択できない理由についてのメッセージ「ディスクが挿入されていません」等を表示する、といった方法でもよい。
【０２１５】
なお、警告部３６０は、レコーダ装置１００に光ディスクが挿入されていないときに、ディスクドライブ部３３０が光ディスクから取得した録画予約情報の更新をすることができない旨をユーザーに警告するのであれば、ドライブ部３００のドライブ制御部３２０、又は、バックエンド部２００のバックエンド制御部２４０に設けられてもよく、あるいは、バックエンド制御部２４０及びドライブ制御部３２０とは別に設けられてもよく、適宜選択してよい。従って、図１の構成はあくまで一例と言える。
【０２１６】
次に、レコーダ装置１００に係る録画予約情報の設定動作を、図２５を参照して説明する。なお、図２５は、レコーダ装置１００に係る録画予約情報の設定の動作を説明するためのフローであり、図２４（ａ）〜（ｇ）で示される動作に従ってフローを説明する。
【０２１７】
まず、ステップＳ１０では、レコーダ装置Ａ（図面では、レコーダＡ）に光ディスクが挿入される。このとき、レコーダ装置Ａ及び光ディスクには録画予約情報が設定されていないものとする。
【０２１８】
なお、レコーダ装置Ａに光ディスクが挿入される前の時点では、ディスクドライブ部３３０が光ディスクを認識していないため、そのことを示す信号が許諾部３５０に送信される。あるいは、ディスクドライブ部３３０から許諾部３５０に信号が送信されないことを受けて、許諾部３５０が、ディスクドライブ部３３０は光ディスクを認識していないと判断してもよい。その結果、許諾部３５０が入力操作を許諾しないため、ユーザーは、録画予約情報をレコーダ装置Ａに設定することができない。
【０２１９】
また、レコーダ装置Ａに光ディスクが挿入される前の時点において、警告部３６０が、「ディスクが挿入されていません」等のメッセージをレコーダ装置Ａに接続されたテレビ画面に表示してもよい。
【０２２０】
次に、ステップＳ１２では、予約情報Ａがレコーダ装置Ａに設定される。これは、レコーダ装置Ａに光ディスクが挿入されたことにより、許諾部３５０が、レコーダ装置Ａで録画予約するための情報である録画予約情報の設定をユーザーに許諾したことによる。なお、ユーザーは、入力操作部から予約情報Ａを入力すればよく、その予約情報Ａは、記憶部２８０の予約情報管理領域に記録される。
【０２２１】
続いて、ステップＳ１４では、レコーダ装置Ａと光ディスクとが予約情報Ａを共有する。これは、ディスクドライブ部３３０が、ドライブ制御部３２０からの指示を受けて、ユーザーの設定した録画予約情報を光ディスクの所定の領域（予約情報管理領域）に記録することによる。
【０２２２】
そして、ステップＳ１６では、レコーダ装置Ａから光ディスクが取り出される。その結果、上記の理由により、レコーダ装置Ａでは録画予約情報の設定ができなくなる。つまり、入力操作部からの入力操作が受け付けられなくなる。
【０２２３】
ステップＳ１８では、レコーダ装置Ｂ（図面では、レコーダＢ）に光ディスクが挿入される。なお、ここに至るまでレコーダ装置Ｂには光ディスクが挿入されていなかったため、レコーダ装置Ｂには録画予約情報が設定されていない。
【０２２４】
次に、ステップＳ２０では、レコーダ装置Ｂと光ディスクとが予約情報Ａを共有する。これは、レコーダ装置Ｂに係るディスクドライブ部３３０が、レコーダ装置Ｂに係るドライブ制御部３２０からの指示に基いて駆動され、装填されている光ディスクから予約情報Ａを読み出し、その予約情報Ａをレコーダ装置Ｂに係る記憶部２８０の予約情報管理領域に記録した結果による。なお、この時点において、レコーダ装置Ａ・Ｂ、及び光ディスクは、予約情報Ａを共有していることになる。
【０２２５】
続いて、ステップＳ２２では、予約情報Ｂがレコーダ装置Ｂに設定される。これは、レコーダ装置Ｂに光ディスクが挿入されたことにより、レコーダ装置Ｂに係る許諾部３５０が、レコーダ装置Ｂで録画予約するための情報である録画予約情報の更新を許諾したことによる。なお、ユーザーは、入力操作部から予約情報Ｂを入力すればよく、その予約情報Ｂは、レコーダ装置Ｂに係る記憶部２８０の予約情報管理領域に記録される。
【０２２６】
なお、予約情報Ｂは、予約情報Ａに対して、番組を録画予約するための情報の追加、変更、削除、あるいは変更なし、という録画予約情報の更新を経て得られるものである。従って、予約情報Ｂの方が、予約情報Ａよりも新しい録画予約情報である。また、予約情報Ｂの入力は、レコーダ装置Ｂが接続されたテレビ画面に予約情報Ａが表示され、その予約情報Ａに対して変更を加える、といった方法等でよい。
【０２２７】
そして、ステップＳ２４では、レコーダ装置Ｂと光ディスクとが予約情報Ｂを共有する。これは、レコーダ装置Ｂのディスクドライブ部３３０が、レコーダ装置Ｂのドライブ制御部３２０からの指示を受けて、ユーザーの設定した予約情報Ｂを光ディスクの所定の領域（予約情報管理領域）に記録することによる。
【０２２８】
ステップＳ２６では、レコーダ装置Ｂから光ディスクが取り出される。その結果、上述した理由により、レコーダ装置Ｂでは録画予約情報の設定ができなくなる。
【０２２９】
続いて、ステップＳ２８では、レコーダ装置Ａに光ディスクが挿入される。なお、この時点では、光ディスクが挿入されていなかったため、レコーダ装置Ａには予約情報Ａが記録されたままである。一方で、光ディスクには予約情報Ｂが記録されている。
【０２３０】
そして、ステップＳ３０では、レコーダ装置Ａと光ディスクとが予約情報Ｂを共有する。これは、レコーダ装置Ａのディスクドライブ部３３０が、レコーダ装置Ａのドライブ制御部３２０からの指示に基いて駆動され、搭載されている光ディスクから予約情報Ｂを読み出し、その予約情報Ｂを記憶部３４０に記録した結果による。なお、この時点において、レコーダ装置Ａ・Ｂ、及び光ディスクは、予約情報Ｂを共有していることになる。
【０２３１】
このように、レコーダ装置Ｂについて言えば、レコーダ装置Ｂでは、自装置に光ディスクが挿入されたときに、許諾部３５０が、ディスクドライブ部３３０が取得した予約情報Ａの更新を許諾して、自装置で録画予約するための情報である予約情報Ｂの設定が可能となる。
【０２３２】
つまり、予約情報Ｂは、光ディスクがレコーダ装置Ｂに挿入されない限り設定されることはない。つまり、光ディスクが自装置から取り出されると、その光ディスクが再度挿入されるまでの間は録画予約情報が変更されることはない。そして、光ディスクが再挿入されると、許諾部３５０は、予約情報Ａを更新して、予約情報Ｂの設定を行うことをユーザーに許諾する。その結果、レコーダ装置Ｂは、予約情報Ｂに基づいて番組を録画することになる。ここではレコーダ装置Ｂについて説明したが、レコーダ装置Ａについても同様のことが言える。
【０２３３】
このように、本実施の形態に係るレコーダ装置Ａ・Ｂでは、光ディスクは、レコーダ装置側で録画予約情報を設定するための物理キーとして使用される。そして、光ディスクがレコーダ装置Ａ又はＢに挿入されたときに、その光ディスクに記録された録画予約情報をマスタ情報として、新たな録画予約情報の設定が許諾部３５０によって許諾される。
【０２３４】
次に、レコーダ装置１００によって得られる効果を説明する。
【０２３５】
前記構成によれば、レコーダ装置１００では、自装置に光ディスクが挿入されたときに、許諾部３５０が、ディスクドライブ部３３０が光ディスクから取得した録画予約情報の更新を許諾して、それにより、自装置で録画予約するための録画予約情報の設定が行われる。
【０２３６】
従って、新たな録画予約情報は、光ディスクが自装置に挿入されない限り設定されることはない。つまり、光ディスクが自装置から取り出されると、その光ディスクが再度挿入されるまでの間は自装置において録画予約情報が更新されることはない。そして、光ディスクが再挿入されると、許諾部３５０は、光ディスクから取得した録画予約情報の更新を許諾して、利用者は、新たな録画予約情報の設定を行うことができる。その結果、レコーダ装置１００は、設定した録画予約情報に基づいて番組を録画することが可能となる。
【０２３７】
それゆえ、レコーダ装置１００に設定された録画予約情報は、光ディスクに記録された録画予約情報を更新したものであり、より確実に利用者の意図を反映することができる。従って、更新後の予約録画情報は、光ディスクに記録された録画予約情報よりも優先されるべき録画予約情報として取り扱うことができる。このため、レコーダ装置１００は、レコーダ装置１００及び光ディスクにおける録画予約情報が相違し、何れの録画予約情報を優先的に取り扱うか判断できない、といった前記従来の問題を解決することができる。
【０２３８】
さらに、レコーダ装置１００は、更新した録画予約情報を光ディスクに書き込むディスクドライブ部３３０を備えており、更新された録画予約情報が光ディスクにも記録される構成である。従って、レコーダ装置１００及び光ディスクそれぞれに記録される録画予約情報を同期させることができ、両者の間で録画予約情報の矛盾が生じる事態を回避することができる。そして、複数のレコーダ装置間で光ディスクを介した録画予約情報の共有化を実現することができる。
【０２３９】
それゆえ、複数のレコーダ装置間で光ディスクを介して録画予約情報を共有するシステムにおいて、レコーダ装置１００は、自装置における録画予約情報を設定するための物理キーとして光ディスクを使用する。そして、光ディスクが自装置に装填されたときに、その光ディスクに記録された録画予約情報をマスタ情報として、録画予約情報の更新が許諾される。
【０２４０】
その結果、レコーダ装置１００は、自装置で新たに設定した録画予約情報に基づいて番組を録画することができ、光ディスク側及びレコーダ装置側における録画予約情報の何れが優先されるかをユーザーに選択させること等を要しない、ユーザビリティに優れたレコーダ装置及び録画予約情報の設定方法を実現することができる。
【０２４１】
また、レコーダ装置１００では、光ディスクから取得した録画予約情報の更新は、番組を録画予約するための情報の追加、変更、削除、変更なしのうち少なくとも１つを含む構成である。
【０２４２】
レコーダ装置１００では、自装置に光ディスクが挿入されたときに、許諾部３５０が、ディスクドライブ部３３０が取得した光ディスク側の録画予約情報の更新を許諾して、自装置で録画予約するための情報である新たな録画予約情報が設定される。
【０２４３】
つまり、ディスクドライブ部３３０が光ディスク側の録画予約情報を取得した後に、ユーザーは、その光ディスク側の録画予約情報に対して、番組を録画予約するための情報の追加、変更、削除を行い、あるいは、光ディスク側の録画予約情報を何ら変更することなく、新たな録画予約情報を設定する。
【０２４４】
それゆえ、光ディスクから取得した録画予約情報に対して、番組を録画予約するための情報の追加、変更、削除、あるいは変更なしという「更新」を経て、レコーダ装置１００は、その更新された録画予約情報に基づいて番組を録画することができる。
【０２４５】
さらに、レコーダ装置１００は、光ディスクが挿入されていないときに、録画予約情報の更新ができないことをユーザーに警告する警告部３６０を備える。
【０２４６】
レコーダ装置１００では、光ディスクが挿入されていないことを警告部３６０が警告することにより、ユーザーは、録画予約情報の更新ができないことを認識することができる。これにより、録画予約情報を更新できない理由がユーザーに警告され、ユーザーは、録画予約情報を更新するときには、その警告を光ディスクを挿入する契機とすることができる。
【０２４７】
このように、レコーダ装置１００は、更新した録画予約情報に基づいて番組を録画することができ、光ディスク側及びレコーダ装置側における録画予約情報の何れが優先されるかをユーザーに選択させることを要しない。従って、複数のレコーダ装置間で光ディスクを介して録画予約情報を共有するシステムにおいて、ユーザビリティに優れた、そして、録画予約情報の一元化を実現することが可能なレコーダ装置、及び録画予約情報の設定方法をユーザーに提供することができる。
【０２４８】
〔実施の形態２〕
次に、図２６〜図２８を参照して、他の実施形態に係るレコーダ装置１５０を説明する。なお、図１等を参照して説明した内容と同様の内容は説明を省略する。
【０２４９】
ここで、概略的に言えば、レコーダ装置１００とレコーダ装置１５０との相違点は、レコーダ装置１５０の記憶部３４０に特定の光ディスクのメディアＩＤ（識別情報）を記録するための記録領域である複数ディスク管理領域（記録媒体管理部）が設けられているかどうかという点にある。
【０２５０】
図２６は、図３、図４等における領域１〜ｎをディスク用データ領域１〜ｎに割り当てた様子を模式的に示す図である。図２７は、レコーダ装置１５０の各種管理情報を模式的に示す図である。
【０２５１】
上述したように、レコーダ装置１５０には複数ディスク管理領域が設けられている。これは、図３、図４等を参照して説明した、領域１〜ｎをディスク用データ領域１〜ｎに割り当てたものであって、自身の有するメディアＩＤが複数ディスク管理領域に記録されている光ディスク１〜ｎを使用する場合に該当する。なお、詳細は、（レコーダ処理装置１００の処理動作）の＜記憶部３４０の初期化処理＞で既に説明しているため、ここでの説明は省略する。
【０２５２】
つまり、複数ディスク管理領域では、複数の光ディスクの情報が一括して管理される。そして、複数ディスク管理領域の領域１〜ｎには各光ディスクに固有の「メディアＩＤ」が記録されている。なお、メディアＩＤは、光ディスクに固有のＩＤであり、このＩＤによって個々の光ディスクを識別することができる。レコーダ装置１５０では、自装置に挿入された光ディスクのメディアＩＤを取得し、そのメディアＩＤと領域１〜ｎとを関連付けて、その光ディスクに記録された録画予約情報等の管理を行う。
【０２５３】
そして、図２７は、レコーダ装置１５０の各種管理情報を模式的に示す図であり、各光ディスクごとに、「メディアＩＤ」、「ディスク容量」、「同期化フラグ」、「仮想ディスク」、「ＡＣＴＩＶＥ」が管理される。なお、ここで説明する内容はあくまで一例であって、これに限られるものではない。「ＡＣＴＩＶＥ」は、ある領域を一時的に無効にするフラグであり、記憶部３４０のエントリには「アクティブフラグ」が設けられている。通常、アクティブフラグには領域が有効であることを示す情報（ここでは「１」）が記録されている。そして、ある領域を無効にする場合には「０」が記録される。なお、「ＡＣＴＩＶＥ」以外の項目は図３等を参照して説明したため詳細説明を省略する。
【０２５４】
次に、レコーダ装置１５０に係る録画予約情報のロック動作の基本形を図２８を参照して説明する。なお、図２８は、レコーダ装置１５０に係る録画予約情報のロック動作の基本形を説明するためのフローである。
【０２５５】
まず、ステップＳ４０において、ディスク１（メディアID “11111111”）がレコーダ装置１５０に挿入される。
【０２５６】
次に、ステップＳ４２では、ドライブ制御部３２０からの指示を受けて、ディスクドライブ部３３０がディスク１のメディアＩＤ“11111111”を読み出す。
【０２５７】
なお、ディスクドライブ部３３０が読み出したメディアＩＤ“11111111”はバックエンド制御部２４０に送信され、バックエンド制御部２４０は、そのメディアＩＤ“11111111”と、ディスク１に記録された録画予約情報とを関連付けて記憶部２８０に記録する。
【０２５８】
続いて、ステップＳ４４では、ドライブ制御部３２０が、複数ディスク管理領域に記録されたメディアＩＤに“11111111”があるかどうかを確認する。“11111111”というメディアＩＤが複数ディスク管理領域に記録されていれば、ステップＳ４４でＹｅｓに進み、「ディスク１有無」が「１」（真）になる（ステップＳ４６）。
【０２５９】
そして、ステップＳ４８では、録画予約情報の更新が許諾される。つまり、「ディスク１有無」が「１」（真）になったことを受けて、許諾部３５０が、レコーダ装置１５０で録画予約するための情報である録画予約情報の更新をユーザーに許諾する。
【０２６０】
その後、ステップＳ５０において、録画予約情報がレコーダ装置１５０に設定される。なお、ユーザーは、入力操作部から新たな録画予約情報を入力すればよく、その録画予約情報は、ディスク１およびレコーダ装置１５０の記憶部３４０に記録される。ここで、記憶部３４０には複数ディスク管理領域が設けられ、その複数ディスク管理領域は、領域１〜ｎをディスク用データ領域１〜ｎに割り当てて設けられている。従って、当該新たな録画予約情報は、ディスク１に対応する領域１に記録される。
【０２６１】
続いて、ステップＳ５２では、レコーダ装置１５０からディスク１が取り出される。その結果、「ディスク１有無」が「０」（偽）となる（ステップＳ５４）。なお、ステップＳ４４において、“11111111”というメディアＩＤが複数ディスク管理領域に記録されていなければ、ステップＳ４４でＮｏに進み、ステップＳ５４の動作が行われる。
【０２６２】
そして、ステップＳ５６では、許諾部３５０は、録画予約情報の更新の許諾を解除して、ユーザーが録画予約情報を更新・設定することを禁止する。
【０２６３】
このように、レコーダ装置１５０に係る録画予約情報のロック動作は、ディスク１のメディアＩＤが複数ディスク管理領域に記録されているか否かによって異なり、その結果を受けて、許諾部３５０が、録画予約情報の更新の許否を決定する。
【０２６４】
次に、レコーダ装置１５０によって得られる効果を説明する。なお、レコーダ装置１００と同様の効果については説明を省略する。
【０２６５】
前記構成によれば、レコーダ装置１５０は、特定のディスクのメディアＩＤを記録するための記録領域である複数ディスク管理領域を備える。そして、ディスクドライブ部３３０は、レコーダ装置１５０に挿入されたディスクのメディアＩＤが複数ディスク管理領域に記録されている場合に、そのディスクから録画予約情報を取得する構成である。
【０２６６】
これにより、複数ディスク管理領域にメディアＩＤが記録されていないディスクが自装置に挿入されたとしても、そのディスクから録画予約情報を取得することはない。
【０２６７】
つまり、特定のディスクが自装置に挿入された場合にのみ、録画予約情報を更新して、新たに録画予約情報の設定を行うことが利用者に許諾される。その結果、メディアＩＤが記録されているかどうかによって、使用するディスクに制限を加えることができ、ディスクごとの録画予約情報の管理が容易になる。言い換えると、特定のディスクが挿入されているときのみ、録画予約情報の追加、変更、削除等ができることになり、絶対的に正しい録画予約情報が当該特定のディスクに記録される、というルール付けが可能となる。
【０２６８】
なお、特定のディスクに係るメディアＩＤは、操作入力部からの入力によりレコーダ装置１５０の複数ディスク管理領域に記録させればよい。
【０２６９】
また、レコーダ装置１５０では、新たに設定した録画予約情報は、メディアＩＤに関連付けて複数ディスク管理領域に記録される構成である。具体的には、ディスク１に係る録画予約情報は、複数ディスク管理領域の領域１に記録される。
【０２７０】
これにより、ディスクが複数存在し、またそのディスクに記録された録画予約情報も複数存在する場合においても、ディスクのメディアＩＤに関連付けられた、新たに設定された録画予約情報が複数ディスク管理領域に記録されるため、ディスクごとの録画予約情報の管理がさらに容易になる。
【０２７１】
なお、レコーダ装置１５０に挿入されたディスクのメディアＩＤが複数ディスク管理領域に記録されていない場合であっても、領域１〜ｎとは異なる予備領域を予め準備して、当該ディスクに記録された録画予約情報の更新後の新しい録画予約情報を当該予備領域に記録してもよい。これにより、レコーダ装置１５０に挿入されたすべてのディスクについて、そのディスクに記録された録画予約情報をより柔軟に更新する構成が実現できる。
【０２７２】
このように、前記構成を備えることにより、レコーダ装置１５０は種々の効果を実現することができる。
【０２７３】
最後に、レコーダ装置１００・１５０の各ブロック、特にディスクドライブ部３３０、許諾部３５０、および警告部３６０は、ハードウェアロジックによって構成してもよいし、次のようにＣＰＵを用いてソフトウェアによって実現してもよい。
【０２７４】
すなわち、レコーダ装置１００・１５０は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアであるレコーダ装置１００・１５０の制御プログラムのプログラムコード（実行形式プログラム、中間コードプログラム、ソースプログラム）をコンピュータで読み取り可能に記録した記録媒体を、前記レコーダ装置１００・１５０に供給し、そのコンピュータ（またはＣＰＵやＭＰＵ）が記録媒体に記録されているプログラムコードを読み出し実行することによっても、達成可能である。
【０２７５】
前記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２７６】
また、レコーダ装置１００・１５０を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０２７７】
なお、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２７８】
（その他）
本発明に係る番組録画装置では、前記ドライブ装置は、着脱可能な記録媒体に記録されている識別情報であって、着脱可能な記録媒体それぞれに固有の識別情報を記録する記録媒体管理部を備え、前記許諾手段は、前記ドライブ装置に装填された着脱可能な記録媒体から取得した識別情報が前記記録媒体管理部に記録されているとき、前記録画予約情報の更新を許諾する構成とすることができる。
【０２７９】
前記構成を備えることにより、記録媒体管理部に識別情報が記録されていない着脱可能な記録媒体が自装置に挿入されたとしても、その着脱可能な記録媒体から録画予約情報を取得することはない。
【０２８０】
つまり、記録媒体管理部に識別情報が記録された特定の着脱可能な記録媒体が自装置に挿入された場合にのみ、その着脱可能な記録媒体から取得した録画予約情報を更新することが許諾され、更新した後の録画予約情報を自装置の録画予約情報として設定することができる。つまり、記録媒体管理部に識別情報が記録されているかどうかによって使用する着脱可能な記録媒体に制限を設けることができるため、着脱可能な記録媒体ごとの録画予約情報の管理が容易になる。
【０２８１】
なお、上記特定の着脱可能な記録媒体に記録された識別情報は、自装置の内部あるいは外部に設けられた操作入力部から番組録画装置の記録媒体管理部に入力可能な構成とすればよい。これにより、利用者は、特定の着脱可能な記録媒体を容易に指定することができる。
【０２８２】
本発明に係る番組録画装置では、前記録画予約情報は、前記識別情報に関連付けて設定される構成とすることができる。
【０２８３】
前記構成を備えることにより、着脱可能な記録媒体が複数存在し、またその着脱可能な記録媒体に記録された録画予約情報も複数存在する場合において、番組録画装置の録画予約情報が着脱可能な記録媒体の識別情報に関連付けられて記録媒体管理部に記録されるため、着脱可能な記録媒体ごとの録画予約情報の管理がさらに容易になる。
【０２８４】
本発明に係る番組録画装置は、前記ドライブ装置に着脱可能な記録媒体が装填されていないときに、前記録画予約情報の更新ができないことを利用者に警告する警告手段を備える構成とすることができる。
【０２８５】
本発明に係る番組録画装置では、着脱可能な記録媒体が挿入されていないことを警告手段が警告することにより、利用者は、録画予約情報の更新ができないことを認識することができる。これにより、録画予約情報の更新ができない理由が利用者に知らされるため、利用者は、その警告を契機にして着脱可能な記録媒体を番組録画装置に挿入し、録画予約情報を更新することができる。
【０２８６】
本発明に係る番組録画装置では、前記録画予約情報の更新は、番組を録画予約するための情報の追加、変更、削除、変更なしのうち少なくとも１つを含む構成とすることができる。
【０２８７】
上述したように、本発明に係る番組録画装置では、自装置に着脱可能な記録媒体が挿入されたときに、許諾手段が、着脱可能な記録媒体に記録されている録画予約情報の更新を許諾する。
【０２８８】
つまり、着脱可能な記録媒体に記録されている録画予約情報を取得した後に、利用者は、その録画予約情報に対して、番組を録画予約するための情報の追加、変更、削除を行い、あるいは、着脱可能な記録媒体に記録されている録画予約情報を何ら変更することなく、自装置に録画予約情報を設定することができる。
【０２８９】
それゆえ、着脱可能な記録媒体に記録されている録画予約情報に対して、番組を録画予約するための情報の追加、変更、削除、あるいは変更なしという「録画予約情報の更新」を経て、本発明に係る番組録画装置は、その更新後の録画予約情報に基づいて番組を録画することができる。
【０２９０】
なお、前記録画予約情報の設定方法は、コンピュータによって実現してもよく、この場合には、コンピュータを前記各手段として動作させることにより前記録画予約情報の設定方法をコンピュータにて実現させる録画予約情報の設定プログラム、およびそれを記録したコンピュータ読み取り可能な記録媒体も本発明の範疇に入る。
【産業上の利用可能性】
【０２９１】
本発明は、複数の番組録画装置間で連動して番組録画予約が可能な番組記録装置、番組録画プログラム、及び該番組録画プログラムを記録したコンピュータ読み取り可能な記録媒体に適用することができる。
【符号の説明】
【０２９２】
１００・１５０  レコーダ装置（番組録画装置）
２００  バックエンド部
２１０  チューナー部
２２０  エンコーダ部
２３０  ストリーム処理部
２４０  バックエンド制御部
２５０  バッファ部
２６０  デコーダ部
２７０  画像処理部
２８０  記憶部
２９０  インターフェース部
３００  ドライブ部（ドライブ装置）
３１０  インターフェース部
３２０  ドライブ制御部
３３０  ディスクドライブ部（書込手段）
３４０  記憶部
３５０  許諾部（許諾手段）
３６０  警告部（警告手段）
５００  表示装置
５１０  コンテンツ表示部
５２０  タイトルリスト表示部
５３０  表示部
【図１】
2010113432.tif 000003
【図２】
2010113432.tif 000004
【図３】
2010113432.tif 000005
【図４】
2010113432.tif 000006
【図５】
2010113432.tif 000007
【図６】
2010113432.tif 000008
【図７】
2010113432.tif 000009
【図８】
2010113432.tif 000010
【図９】
2010113432.tif 000011
【図１０】
2010113432.tif 000012
【図１１】
2010113432.tif 000013
【図１２】
2010113432.tif 000014
【図１３】
2010113432.tif 000015
【図１４】
2010113432.tif 000016
【図１５】
2010113432.tif 000017
【図１６】
2010113432.tif 000018
【図１７】
2010113432.tif 000019
【図１８】
2010113432.tif 000020
【図１９】
2010113432.tif 000021
【図２０】
2010113432.tif 000022
【図２１】
2010113432.tif 000023
【図２２】
2010113432.tif 000024
【図２３】
2010113432.tif 000025
【図２４】
2010113432.tif 000026
【図２５】
2010113432.tif 000027
【図２６】
2010113432.tif 000028
【図２７】
2010113432.tif 000029
【図２８】
2010113432.tif 000030
【図２９】
2010113432.tif 000031
【手続補正書】
【提出日】平成23年9月12日(2011.9.12)
【手続補正１】
【補正対象書類名】特許請求の範囲
【補正対象項目名】全文
【補正方法】変更
【補正の内容】
【特許請求の範囲】
【請求項１】
ドライブ装置に装填された着脱可能な記録媒体に記録されている番組を録画予約するための録画予約情報を取得して自装置の録画予約情報として設定する番組録画装置であって、
録画予約情報が記録された着脱可能な記録媒体がドライブ装置に装填されているときに、当該録画予約情報の更新を許諾し、前記着脱可能な記録媒体が前記ドライブ装置に装填されていないときに、上記録画予約情報の更新を許諾しない許諾手段と、
更新した録画予約情報を前記着脱可能な記録媒体に書き込む書込手段と、
を備えていることを特徴とする番組録画装置。
【請求項２】
前記ドライブ装置は、着脱可能な記録媒体に記録されている識別情報であって、着脱可能な記録媒体それぞれに固有の識別情報を記録する記録媒体管理部を備え、
前記許諾手段は、前記ドライブ装置に装填された着脱可能な記録媒体から取得した識別情報が前記記録媒体管理部に記録されているとき、前記録画予約情報の更新を許諾することを特徴とする請求項１に記載の番組録画装置。
【請求項３】
前記録画予約情報は、前記識別情報に関連付けて設定されることを特徴とする請求項２に記載の番組録画装置。
【請求項４】
前記ドライブ装置に着脱可能な記録媒体が装填されていないときに、前記録画予約情報の更新ができないことを利用者に警告する警告手段を備えることを特徴とする請求項１から３の何れか１項に記載の番組録画装置。
【請求項５】
前記録画予約情報の更新は、番組を録画予約するための情報の追加、変更、削除、変更なしのうち少なくとも１つを含むことを特徴とする請求項１から４の何れか１項に記載の番組録画装置。
【請求項６】
ドライブ装置に装填された着脱可能な記録媒体に記録されている番組を録画予約するための録画予約情報を取得して自装置の録画予約情報として設定する番組録画装置に係る録画予約情報の設定方法であって、
録画予約情報が記録された着脱可能な記録媒体がドライブ装置に装填されているときに、当該録画予約情報の更新を許諾し、前記着脱可能な記録媒体が前記ドライブ装置に装填されていないときに、上記録画予約情報の更新を許諾しない許諾ステップと、
更新した録画予約情報を前記着脱可能な記録媒体に書き込む書込ステップと、
を含むことを特徴とする録画予約情報の設定方法。
【請求項７】
ドライブ装置に装填された着脱可能な記録媒体に記録されている番組を録画予約するための録画予約情報を取得して自装置の録画予約情報として設定する番組録画装置に係る録画予約情報の設定プログラムであって、
録画予約情報が記録された着脱可能な記録媒体がドライブ装置に装填されているときに、当該録画予約情報の更新を許諾し、前記着脱可能な記録媒体が前記ドライブ装置に装填されていないときに、上記録画予約情報の更新を許諾しない許諾ステップと、
更新した録画予約情報を前記着脱可能な記録媒体に書き込む書込ステップと、
をコンピュータに実行させるための録画予約情報の設定プログラム。
【請求項８】
請求項７に記載の録画予約情報の設定プログラムを記録したコンピュータ読取可能な記録媒体。
【国際調査報告】
2010113432.tif 000032
2010113432.tif 000033
2010113432.tif 000034
2010113432.tif 000035